(57)【要約】      （修正有）【課題】三量体Ｇタンパク質αサブユニットＧｍ１のプロモーター領域である塩基配列を有するポリヌクレオチドを提供し、さらに当該ポリヌクレオチドの利用（例えば、三量体Ｇタンパク質αサブユニットＧｍ１のプロモーターを介したシグナル伝達調節物質の探索方法等）を提供する。【解決手段】三量体Ｇタンパク質αサブユニットＧｍ１のプロモーター領域である塩基配列を有することを特徴とするポリヌクレオチド、該ポリヌクレオチドもしくはその形質転換細胞を用いたシグナル伝達調節物質のスクリーニング方法を提供する。【選択図】なし【特許請求の範囲】
【請求項１】
三量体Ｇタンパク質αサブユニットＧｍ１のプロモーター領域である塩基配列を有することを特徴とするポリヌクレオチド。
【請求項２】
プロモーター領域である塩基配列が、以下の（１）〜（４）のいずれかに記載される塩基配列であることを特徴とする請求項１記載のポリヌクレオチド。
（１）配列番号１で示される塩基配列
（２）配列番号１で示される塩基配列における塩基番号６０３番から３８７１番までの領域で示される塩基配列
（３）上記（１）又は（２）の塩基配列において１個もしくは複数個の塩基が欠失、置換もしくは付加された塩基配列からなり、かつ三量体Ｇタンパク質αサブユニットＧｍ１をコードする遺伝子の転写を制御する能力を有する塩基配列
（４）上記（１）又は（２）の塩基配列からなるポリヌクレオチドとストリンジェントな条件下にハイブリダイズするポリヌクレオチドの塩基配列に相補であり、かつ三量体Ｇタンパク質αサブユニットＧｍ１をコードする遺伝子の転写を制御する能力を有する塩基配列
【請求項３】
請求項１又は２記載のポリヌクレオチドを含有することを特徴とするプラスミド。
【請求項４】
請求項１又は２記載のポリヌクレオチドを含有し、かつ当該ポリヌクレオチドの下流（３’側）に当該ポリヌクレオチドによって転写が制御されるポリヌクレオチドを含有することを特徴とするプラスミド。
【請求項５】
請求項１又は２記載のポリヌクレオチドを含有し、かつ当該ポリヌクレオチドの下流（３’側）にレポーター遺伝子を含有することを特徴とするプラスミド。
【請求項６】
請求項１、２、３又は４記載のプラスミドが導入されてなる形質転換細胞。
【請求項７】
請求項５記載のプラスミドが導入されてなる形質転換細胞。
【請求項８】
三量体Ｇタンパク質αサブユニットＧｍ１のプロモーターを介したシグナル伝達調節物質の探索方法であって、
（１）請求項７記載の形質転換細胞に被験物質を接触させる第一工程、及び、
（２）前記第一工程後に、レポーター遺伝子の発現量又はそれと相関する指標値をモニターする第二工程、
（３）前記第二工程によりモニターされた発現量又はそれと相関する指標値の変化に基づき前記物質が有する三量体Ｇタンパク質αサブユニットＧｍ１のプロモーターを介したシグナル伝達調節能力を評価する第三工程、及び
（４）前記第三工程で評価されたシグナル伝達調節能力に基づき三量体Ｇタンパク質αサブユニットＧｍ１のプロモーターを介したシグナル伝達調節能力を有する物質を選抜する第四工程、
を有することを特徴とする探索方法。
【請求項９】
物質が有する三量体Ｇタンパク質αサブユニットＧｍ１のプロモーターを介したシグナル伝達調節能力を評価する方法であって、
（１）請求項６記載の形質転換細胞に被験物質を接触させる第一工程、及び、
（２）前記第一工程後に、レポーター遺伝子の発現量又はそれと相関する指標値をモニターする第二工程、及び
（３）前記第二工程によりモニターされた発現量又はそれと相関する指標値の変化に基づき前記物質が有する三量体Ｇタンパク質αサブユニットＧｍ１のプロモーターを介したシグナル伝達調節能力を評価する第三工程、
を有することを特徴とする評価方法。
【請求項１０】
請求項１記載のポリヌクレオチドと結合する物質の探索方法であって、
（１）請求項１記載のポリヌクレオチドと被験物質とを接触させる第一工程、及び
（２）前記第一工程後に、当該ポリヌクレオチドと被験物質との複合体生成の有無を調べる第二工程、及び
（３）前記第二工程で得られた複合体生成の有無結果に基づき当該ポリヌクレオチドと結合する物質を選抜する第三工程、
を有することを特徴とする探索方法。
【請求項１１】
請求項１記載のポリヌクレオチドと結合する物質の精製方法であって、
（１）請求項１記載のポリヌクレオチドと試料とを接触させて、当該ポリヌクレオチドと当該試料中に含有される当該ポリヌクレオチドと結合する物質との複合体を生成させる第一工程、及び、
（２）前記第一工程後、生成させた複合体から当該結合物質を単離する第二工程、
を有することを特徴とする精製方法。
【請求項１２】
請求項６記載の形質転換細胞と、レポーター遺伝子の発現量又はそれと相関する指標値の測定試薬とを含む、三量体Ｇタンパク質αサブユニットＧｍ１のプロモーターを介したシグナル伝達調節物質のスクリーニングキット。
【請求項１３】
請求項８又は１０記載の探索方法により得られる、三量体Ｇタンパク質αサブユニットＧｍ１のプロモーターを介したシグナル伝達調節能力を有する化合物若しくはその薬学的に許容される塩を有効成分として含み、当該有効成分が薬学的に許容される担体中に製剤化されてなることを特徴とする神経・精神疾患用医薬。
【発明の詳細な説明】
【技術分野】
【０００１】
本発明は、三量体Ｇタンパク質αサブユニットＧｍ１のプロモーター及びその利用に関する。
【背景技術】
【０００２】
Ｇタンパク質は、７回膜貫通型受容体であるＧタンパク質共役型受容体（以下、GPCRと記すこともある。；G-protein  coupled  receptor）が受けた刺激のシグナルを細胞内に運ぶ伝達器としての役割を果たす。このシグナル伝達系がホルモン受容、神経伝達、細胞の増殖・分化のような広範な細胞機能の発現に介在することが明らかになってきている（例えば、非特許文献１参照）。
詳述すれば、Ｇタンパク質はαβγのサブユニットからなる。αサブユニットにGDPが結合した不活性型のＧタンパク質は、ホルモンや神経伝達物質などの受容体アゴニストがGPCRに結合すると、αサブユニットからGDPが放出され、これに代えてGTPが結合する。αサブユニットにGTPが結合した活性型G-タンパク質は、GPCRから離れるとともに、GTP結合型αサブユニットとβγサブユニットとに解離する。活性型Ｇタンパク質は、標的エフェクターであるアデニル酸シクラーゼ、Ca2+チャネル、Ｋ+チャネル、ホスホリパーゼCβ等を促進又は抑制することにより、多彩な細胞機能を調節する。活性型Ｇタンパク質のαサブユニットに結合したGTPは、αサブユニットが有するGTPaseの作用によりGDPとなり、不活性型に戻る。
これまで、哺乳動物の細胞において多種類のＧタンパク質が同定されている。これらのＧタンパク質はそれぞれ固有の組織分布を有し、例えば、神経細胞、嗅細胞、視細胞、味細胞、肺細胞、腎細胞又は肝細胞等に分布するＧタンパク質が知られている（例えば、非特許文献２参照）。これらのＧタンパク質はいずれも、GTPが結合するとともにGTPaseを活性化する部位及びαβγの３量体形成ドメインを有している（例えば、非特許文献２参照）。
このように、Ｇタンパク質は、固有の組織において細胞のシグナル伝達系に関与することによりホルモン受容、神経伝達、細胞の増殖・分化など重要な役割を果たす。
また、Ｇタンパク質αサブユニットが正常な機能を失うことにより、様々な疾患が誘発されることが明らかになってきている。例えば、Ｇタンパク質αサブユニットＧｓが定常的に活性化されることにより、下垂体腫瘍、甲状腺腫瘍又はMcCune-Albright症候群等の疾患が誘発される。またＧタンパク質αサブユニットＧｓの機能が消失することにより、偽性副甲状腺機能低下症が誘発される。またＧタンパク質αサブユニットＧｉ２が定常的に活性化されることにより、下垂体腫瘍、副腎皮質腫瘍又は子宮腫瘍が誘発される（例えば、非特許文献３参照）。
【０００３】
【非特許文献１】現代化学増刊34、61〜70、1997
【非特許文献２】シグナル伝達、17〜30頁、2001年11月１日、共立出版社
【非特許文献３】G protein mutations in endocrine diseases, European Journal of Endocrinology (2001)vol.145, 545-559
【発明の開示】
【発明が解決しようとする課題】
【０００４】
本発明は、三量体Ｇタンパク質αサブユニットＧｍ１のプロモーター領域である塩基配列を有するポリヌクレオチドを提供し、さらに当該ポリヌクレオチドの利用（例えば、三量体Ｇタンパク質αサブユニットＧｍ１のプロモーターを介したシグナル伝達調節物質の探索方法等）を提供することを課題とする。
【課題を解決するための手段】
【０００５】
このような状況下、本発明者が鋭意研究を重ねた結果、三量体Ｇタンパク質αサブユニットＧｍ１が大脳皮質、海馬、小脳の神経細胞で高く発現していることを見出し、さらに当該Ｇｍ１の発現が神経・精神疾患患者（統合失調症、躁鬱病、うつ病及び不安症）の脳で低下していることを初めて見出し、本発明に至った。
尚、Ｇタンパク質の発現量の低下は、細胞外からのシグナルを細胞内に伝える機能の減衰を引き起こす。このことより、Ｇｍ１の発現量の低下が、これら神経・精神疾患（統合失調症、躁鬱病、うつ病および不安症）の症状に関わっていることが示唆され、三量体Ｇタンパク質αサブユニットＧｍ１をコードする遺伝子の転写を制御する能力を有する塩基配列からなるポリヌクレオチドを同定できれば、当該Ｇｍ１の発現量の異常、又は、当該Ｇｍ１のプロモーターを介したシグナル伝達の異常に起因する疾患（特に、神経・精神疾患）の治療・改善・予防のための医薬（即ち、治療薬、改善薬又は予防薬）の有効成分としての化合物若しくはその薬学的に許容される塩を探索するための方法において利用することができる。
本発明は、
１．三量体Ｇタンパク質αサブユニットＧｍ１のプロモーター領域である塩基配列を有することを特徴とするポリヌクレオチド（以下、本発明ポリヌクレオチドと記すこともある。）；
２．プロモーター領域である塩基配列が、以下の（１）〜（４）のいずれかに記載される塩基配列であることを特徴とする前項１記載のポリヌクレオチド。
（１）配列番号１で示される塩基配列
（２）配列番号１で示される塩基配列における塩基番号６０３番から３８７１番までの領域で示される塩基配列
（３）上記（１）又は（２）の塩基配列において１個もしくは複数個の塩基が欠失、置換もしくは付加された塩基配列からなり、かつ三量体Ｇタンパク質αサブユニットＧｍ１をコードする遺伝子の転写を制御する能力を有する塩基配列
（４）上記（１）又は（２）の塩基配列からなるポリヌクレオチドとストリンジェントな条件下にハイブリダイズするポリヌクレオチドの塩基配列に相補であり、かつ三量体Ｇタンパク質αサブユニットＧｍ１をコードする遺伝子の転写を制御する能力を有する塩基配列；
３．請求項１又は２記載のポリヌクレオチドを含有することを特徴とするプラスミド（以下、本発明プラスミドと記すこともある。）；
４．請求項１又は２記載のポリヌクレオチドを含有し、かつ当該ポリヌクレオチドの下流（３’側）に当該ポリヌクレオチドによって転写が制御されるポリヌクレオチドを含有することを特徴とするプラスミド；
５．請求項１又は２記載のポリヌクレオチドを含有し、かつ当該ポリヌクレオチドの下流（３’側）にレポーター遺伝子を含有することを特徴とするプラスミド；
６．前項１，２、３又は４記載のプラスミドが導入されてなる形質転換細胞（以下、本発明形質転換細胞と記すこともある。）；
７．前項５記載のプラスミドが導入されてなる形質転換細胞；
８．三量体Ｇタンパク質αサブユニットＧｍ１のプロモーターを介したシグナル伝達調節物質の探索方法であって、
（１）請求項７記載の形質転換細胞に被験物質を接触させる第一工程、及び、
（２）前記第一工程後に、レポーター遺伝子の発現量又はそれと相関する指標値をモニターする第二工程、
（３）前記第二工程によりモニターされた発現量又はそれと相関する指標値の変化に基づき前記物質が有する三量体Ｇタンパク質αサブユニットＧｍ１のプロモーターを介したシグナル伝達調節能力を評価する第三工程、及び
（４）前記第三工程で評価されたシグナル伝達調節能力に基づき三量体Ｇタンパク質αサブユニットＧｍ１のプロモーターを介したシグナル伝達調節能力を有する物質を選抜する第四工程、
を有することを特徴とする探索方法（以下、本発明探索方法と記すこともある。）；
９．物質が有する三量体Ｇタンパク質αサブユニットＧｍ１のプロモーターを介したシグナル伝達調節能力を評価する方法であって、
（１）請求項６記載の形質転換細胞に被験物質を接触させる第一工程、及び、
（２）前記第一工程後に、レポーター遺伝子の発現量又はそれと相関する指標値をモニターする第二工程、及び
（３）前記第二工程によりモニターされた発現量又はそれと相関する指標値の変化に基づき前記物質が有する三量体Ｇタンパク質αサブユニットＧｍ１のプロモーターを介したシグナル伝達調節能力を評価する第三工程、
を有することを特徴とする評価方法（以下、本発明評価方法と記すこともある。）；
１０．請求項１記載のポリヌクレオチドと結合する物質の探索方法であって、
（１）請求項１記載のポリヌクレオチドと被験物質とを接触させる第一工程、及び
（２）前記第一工程後に、当該ポリヌクレオチドと被験物質との複合体生成の有無を調べる第二工程、及び
（３）前記第二工程で得られた複合体生成の有無結果に基づき当該ポリヌクレオチドと結合する物質を選抜する第三工程、
を有することを特徴とする探索方法（以下、本発明結合物質探索方法と記すこともある。）；
１１．請求項１記載のポリヌクレオチドと結合する物質の精製方法であって、
（１）請求項１記載のポリヌクレオチドと試料とを接触させて、当該ポリヌクレオチドと当該試料中に含有される当該ポリヌクレオチドと結合する物質との複合体を生成させる第一工程、及び、
（２）前記第一工程後、生成させた複合体から当該結合物質を単離する第二工程、
を有することを特徴とする精製方法（以下、本発明精製方法と記すこともある。）；
１２．請求項６記載の形質転換細胞と、レポーター遺伝子の発現量又はそれと相関する指標値の測定試薬とを含む、三量体Ｇタンパク質αサブユニットＧｍ１のプロモーターを介したシグナル伝達調節物質のスクリーニングキット（以下、本発明キットと記すこともある。）；
１３．請求項８又は１０記載の探索方法により得られる、三量体Ｇタンパク質αサブユニットＧｍ１のプロモーターを介したシグナル伝達調節能力を有する化合物若しくはその薬学的に許容される塩を有効成分として含み、当該有効成分が薬学的に許容される担体中に製剤化されてなることを特徴とする神経・精神疾患用医薬（以下、本発明医薬と記すこともある。）；
等を提供するものである。
【発明の効果】
【０００６】
本発明により、三量体Ｇタンパク質αサブユニットＧｍ１のプロモーター領域である塩基配列を有することを特徴とするポリヌクレオチド等が提供となり、当該ポリヌクレオチド等は、三量体Ｇタンパク質αサブユニットＧｍ１のプロモーターを介したシグナル伝達調節物質の探索方法、当該探索方法により得られる三量体Ｇタンパク質αサブユニットＧｍ１のプロモーターを介したシグナル伝達調節能力を有する化合物若しくはその薬学的に許容される塩を有効成分として含有してなることを特徴とする神経・精神疾患用医薬等の研究・開発に極めて有用である。
【発明を実施するための最良の形態】
【０００７】
以下に本発明を詳細に説明する。
本発明で用いられる遺伝子工学的技術は、たとえば、「Ｍｏｌｅｃｕｌａｒ  Ｃｌｏｎｉｎｇ：Ａ  Ｌａｂｏｒａｔｏｒｙ  Ｍａｎｕａｌ  ２ｎｄ  ｅｄｉｔｉｏｎ」（１９８９），  Ｃｏｌｄ  Ｓｐｒｉｎｇ  Ｈａｒｂｏｒ  Ｌａｂｏｒａｔｏｒｙ  Ｐｒｅｓｓ及び  Ｄ．，Ｍ．，Ｇｌｏｖｅｒ著、ＤＮＡ  クローニング（ＤＮＡ  Ｃｌｏｎｉｎｇ）、ＩＲＬ発行、１９８５年などに記載されている通常の方法に準じて行うことができる。
【０００８】
本発明ポリヌクレオチドは、三量体Ｇタンパク質αサブユニットＧｍ１遺伝子の上流（約3.8ｋｂ）に位置するポリヌクレオチドであって、所謂プロモーターと呼ばれる調節遺伝子の一種である。当該ポリヌクレオチドは、例えば、σ因子を持つＲＮＡポリメラーゼが結合し、オペロンの転写を開始する部位であり、転写を促すために必要な配列を含むＤＮＡを意味し、さらに、例えば、細胞型特異的もしくは組織特異的な制御を受けるプロモーター要素、又は外来性のシグナルもしくは因子（例えば、転写活性化蛋白質）によって誘導されるプロモーター依存的遺伝子発現を引き起こすために十分なプロモーター要素を含んでいてもよい。
本発明ポリヌクレオチドを含有しかつ当該ポリヌクレオチドの下流（３’側）にレポーター遺伝子を含有するプラスミドが導入されてなる形質転換細胞は、当該ポリヌクレオチドを含有しておらずかつ当該ポリヌクレオチドの下流（３’側）にレポーター遺伝子を含有するプラスミドが導入されてなる形質転換細胞に比べて、レポーター遺伝子の発現量が高くなることを見出し、当該ポリヌクレオチドが三量体Ｇタンパク質αサブユニットＧｍ１をコードする遺伝子の転写を制御する能力を有する塩基配列を有するポリヌクレオチドであることが確認された。
【０００９】
本発明ポリヌクレオチドとしては、具体的には例えば、以下の（１）〜（３）のいずれかに記載される塩基配列を有するポリヌクレオチド等をあげることができる。
（１）配列番号１で示される塩基配列
（２）配列番号１で示される塩基配列における塩基番号６０３番から３８７１番までの領域で示される塩基配列（因みに、配列番号２で示される塩基配列に相当する塩基配列である。）
（３）上記（１）又は（２）の塩基配列において１個もしくは複数個の塩基が欠失、置換もしくは付加された塩基配列からなり、かつ三量体Ｇタンパク質αサブユニットＧｍ１をコードする遺伝子の転写を制御する能力（以下、当該能力を本転写制御能力と記すこともある。）を有する塩基配列
（４）上記（１）又は（２）の塩基配列からなるポリヌクレオチドとストリンジェントな条件下にハイブリダイズするポリヌクレオチドの塩基配列に相補であり、かつ三量体Ｇタンパク質αサブユニットＧｍ１をコードする遺伝子の転写を制御する能力を有する塩基配列
【００１０】
さらに本発明ポリヌクレオチドが有する塩基配列としては、例えば、配列番号１で示される塩基配列における塩基番号１００番から３８７１番までの領域で示される塩基配列、配列番号１で示される塩基配列における塩基番号２００番から３８７１番までの領域で示される塩基配列、配列番号１で示される塩基配列における塩基番号３００番から３８７１番までの領域で示される塩基配列、配列番号１で示される塩基配列における塩基番号４００番から３８７１番までの領域で示される塩基配列等の塩基配列、配列番号１で示される塩基配列における塩基番号５００番から３８７１番までの領域で示される塩基配列等の塩基配列や、前記のいずれかの塩基配列において１個もしくは複数個の塩基が欠失、置換もしくは付加された塩基配列からなり、かつ三量体Ｇタンパク質αサブユニットＧｍ１をコードする遺伝子の転写を制御する能力を有する塩基配列や、前記のいずれかの塩基配列からなるポリヌクレオチドとストリンジェントな条件下にハイブリダイズするポリヌクレオチドの塩基配列に相補であり、かつ三量体Ｇタンパク質αサブユニットＧｍ１をコードする遺伝子の転写を制御する能力を有する塩基配列等のような、本発明ポリヌクレオチドが有する三量体Ｇタンパク質αサブユニットＧｍ１をコードする遺伝子の転写を制御する能力を維持したまま、その一部分の塩基を欠失させて得られる（即ち、適当な制限酵素を用いて切り出すことにより調製される）ポリヌクレオチドも本発明ポリヌクレオチドとして使用することができる。
【００１１】
尚、このような本発明ポリヌクレオチドは、通常の方法、例えば、「田村隆明著（羊土社刊）、新転写制御のメカニズム（２０００年）」３３〜４０頁、「野村慎太郎、渡辺俊樹監修著（秀潤社刊）、脱アイソトープ実験プロトコール（1998年）」等に記載された方法に準じて作製すればよい。作製されたポリヌクレオチドが有する三量体Ｇタンパク質αサブユニットＧｍ１をコードする遺伝子の転写を制御する能力は後述する方法により確認することができる。
【００１２】
本発明において「ポリヌクレオチド」（オリゴヌクレオチドを含む）には、本発明ポリヌクレオチドが有する塩基配列に相補的な塩基配列を有するポリヌクレオチドも含まれる。また「ポリヌクレオチド」には、特に言及しない限り、DNA及びRNAの双方が含まれる。また「DNA」には、その塩基配列を有する１本鎖DNAの他に、それに相補的な１本鎖DNA、及び２本鎖DNAが含まれる。さらにまた、「DNA」には、特に言及しない限り、cDNA、ゲノムDNA及び合成DNAが含まれる。また一方、「RNA」には、特に言及しない限り、totalRNA、mRNA、rRNA及び合成RNAが含まれる。
本発明において「転写活性を喪失しない改変」とは、例えば、既に同定されている各種の転写調節配列（即ち、転写を制御する能力を有する塩基配列）と相同性が低い部分について行うことができる改変等を意味するものである。このような改変の一つでもある「１個もしくは複数個の塩基が欠失、置換もしくは付加された塩基配列」において、三量体Ｇタンパク質αサブユニットＧｍ１をコードする遺伝子の転写を制御する能力を損なうことなく、どの塩基を何個欠失、置換もしくは付加できるかの指標は、後述する方法により評価及び確認することができる。
このような改変は人為的に変異導入することによって作製してもよい。具体的には、例えば、Ａ．Ｇｒｅｅｎｅｒ，Ｍ．Ｃａｌｌａｈａｎ、Ｓｔｒａｔｅｇｉｅｓ（１９９４）７，３２−３４等に記載される方法を用いてランダムに変異を導入することによって取得することができ、、Ｗ．Ｋｒａｍｅｒ，ｅｔ  ａｌ．、Ｎｕｃｌｅｉｃ  Ａｃｉｄｓ  Ｒｅｓｅａｒｃｈ（１９８４）１２，９４４１もしくはＷ．Ｋｒａｍｅｒ，Ｈ．Ｊ．Ｆｒｉｔｓ、Ｍｅｔｈｏｄｓ  ｉｎ  Ｅｎｚｙｍｏｌｏｇｙ（１９８７）１５４，３５０等に記載のギャップド・デュープレックス（ｇａｐｐｅｄ  ｄｕｐｌｅｘ）法、またはＴ．Ａ．Ｋｕｎｋｅｌ、Ｐｒｏｃ．  ｏｆ  Ｎａｔｌ．  Ａｃａｄ．  Ｓｃｉ．  Ｕ．Ｓ．Ａ．（１９８５）８２，４８８もしくはＴ．Ａ．Ｋｕｎｋｅｌ，ｅｔ  ａｌ．、Ｍｅｔｈｏｄｓ  ｉｎ  Ｅｎｚｙｍｏｌｏｇｙ（１９８７）１５４，３６７等に記載のクンケル（Ｋｕｎｋｅｌ）法を用いて部位特異的に変異を導入することによって取得することができる。あるいは、配列番号１で示される塩基配列からなるポリヌクレオチド等のうち１ヶ所ないし数カ所の部分塩基配列を、他のプロモーターのポリヌクレオチドの一部と入れ換えたキメラＤＮＡを作製することによって取得することができ、例えば、Ｓ．Ｈｅｎｉｋｏｆｆ，ｅｔ  ａｌ．、Ｇｅｎｅ（１９８４）２８，３５１、Ｃ．Ｙａｎｉｓｃｈ−Ｐｅｒｒｏｎ，  ｅｔ  ａｌ．、Ｇｅｎｅ（１９８５）３３，１０３等に記載された方法を用いることができる。
【００１３】
本願において「ストリンジェントな条件下にハイブリダイズするポリヌクレオチド」とは、以下に示すポリヌクレオチドをいう。即ち、（１）高イオン濃度下［例えば、６Ｘ  ＳＳＣ（９００ｍＭの塩化ナトリウムおよび９０ｍＭのクエン酸ナトリウムを含有する）等が挙げられる。］に、６５℃の温度条件でハイブリダイズさせることによりポリヌクレオチド−ポリヌクレオチドハイブリッドを形成し、（２）低イオン濃度下［例えば、０．１Ｘ  ＳＳＣ（１５ｍＭの塩化ナトリウムおよび１．５ｍＭのクエン酸ナトリウムを含有する）等が用いられる。］に、６５℃の温度条件で３０分間洗浄した後でも当該ハイブリッドが維持されうるポリヌクレオチドをいう。
【００１４】
このような塩基配列には、マウス由来の塩基配列に対応する他の生物種（ヒト及びラット）由来の塩基配列等が含まれる。このような塩基配列は、例えば、NCBIのblastサーチ（www.ncbi.nlm.nih.gov/BLAST/）等により選抜することができる。具体的には例えば、配列番号３で示される塩基配列を有するＧｍ１遺伝子の翻訳開始付近を含む塩基配列を対象配列としたNCBIのblastサーチにより、他の生物種のゲノム配列データベースから相同性の高い塩基配列を検索することができる。当該検索により選択された塩基配列の翻訳開始点より上流の塩基配列からなるポリヌクレオチドを選抜することにより、対応する他の生物種のプロモーター領域を含む塩基配列からなるポリヌクレオチドを選抜することができる。選抜されたポリヌクレオチドが有する三量体Ｇタンパク質αサブユニットＧｍ１をコードする遺伝子の転写を制御する能力は後述する方法により確認することができる。
【００１５】
本発明ポリヌクレオチドの調製方法としては、例えば、化学合成法、ＰＣＲ、ハイブリダイゼーション法等が挙げられる。
化学合成法を用いて調製する場合、ＤＮＡ自動合成機、例えばDNA合成機モデ
ル380A  （ABI社製）等を用いることができる。
次に、ＰＣＲを用いて本発明ポリヌクレオチドを調製する方法について説明する。鋳型とするゲノムライブラリーは、例えば、「Ｍｏｌｅｃｕｌａｒ  Ｃｌｏｎｉｎｇ：Ａ  Ｌａｂｏｒａｔｏｒｙ  Ｍａｎｕａｌ  ２ｎｄ  ｅｄｉｔｉｏｎ」（１９８９）、Ｃｏｌｄ  Ｓｐｒｉｎｇ  Ｈａｒｂｏｒ  Ｌａｂｏｒａｔｏｒｙ  Ｐｒｅｓｓ等に記載されている方法に準じてヒト、マウス、ラット等の哺乳動物の組織から調製することができる。また、ヒトゲノムＤＮＡ（クローンテック製）等の市販のゲノムＤＮＡや、ヒトゲノムウォーカーキット（クローンテック製）等の市販ゲノムライブラリーを用いることができる。次いで、増幅させるプロモーターに対応したプライマー、例えば配列番号１で示される塩基配列を有する本発明ポリヌクレオチドを調製する場合であれば、例えば配列番号１で示される塩基配列における塩基番号１番から２０番までの領域で示される塩基配列に対して相補的な塩基配列からなるプライマーと、配列番号１における塩基番号３８５１番から３８７１番までの領域で示される塩基配列に対して相補的な塩基配列からなるプライマーとを用いてＰＣＲを行う。尚、前記プライマーは、配列番号１で示される塩基配列に基づいて適宜設計することができ、また、その５’末端側に、制限酵素認識配列等を付加してもよい。前記のようにして増幅されたＤＮＡは、「Ｍｏｌｅｃｕｌａｒ  Ｃｌｏｎｉｎｇ：Ａ  Ｌａｂｏｒａｔｏｒｙ  Ｍａｎｕａｌ  ２ｎｄ  ｅｄｉｔｉｏｎ」（１９８９），  Ｃｏｌｄ  Ｓｐｒｉｎｇ  Ｈａｒｂｏｒ  Ｌａｂｏｒａｔｏｒｙ  Ｐｒｅｓｓ、「Ｃｕｒｒｅｎｔ  Ｐｒｏｔｏｃｏｌｓ  Ｉｎ  Ｍｏｌｅｃｕｌａｒ  Ｂｉｏｌｏｇｙ」（１９８７），  Ｊｏｈｎ  Ｗｉｌｅｙ  ＆  Ｓｏｎｓ，Ｉｎｃ．ＩＳＢＮ０−４７１−５０３３８−Ｘ等に記載される通常の方法に準じてベクターにクローニングすることができる。具体的には例えばＩｎｖｉｔｒｏｇｅｎ製のＴＡクローニングキットに含まれるプラスミドベクターやＳｔｒａｔａｇｅｎｅ製のｐＢｌｕｅｓｃｒｉｐｔＩＩなどのプラスミドベクターを用いてクローニングすることができる。クローニングされたポリヌクレオチドの塩基配列は、Ｆ．Ｓａｎｇｅｒ，Ｓ．Ｎｉｃｋｌｅｎ，Ａ．Ｒ．Ｃｏｕｌｓｏｎ著、Ｐｒｏｃｅｅｄｉｎｇｓ  ｏｆ  Ｎａｔｉｏｎａｌ  Ａｃａｄｅｍｙ  ｏｆ  Ｓｃｉｅｎｃｅ  Ｕ．Ｓ．Ａ．（１９７７），７４，５４６３−５４６７等に記載されるダイデオキシターミネーティング法などにより分析することができる。
【００１６】
次に、ハイブリダイゼーション法を用いて本発明ポリヌクレオチドを調製する方法について説明する。
まず、プローブに用いるＤＮＡを標識する。プローブに用いるＤＮＡとしては、調製しようとする本発明ポリヌクレオチドの塩基配列の少なくとも一部を有するポリヌクレオチド、例えば、配列番号１で示される塩基配列における塩基番号６０３番から３８７１番までの領域で示される塩基配列もしくはその連続した一部の塩基配列からなるポリヌクレオチドであってその鎖長が２０塩基以上１０００塩基以下であるポリヌクレオチド、前記ポリヌクレオチドの塩基配列において１個もしくは複数個の塩基が欠失、置換もしくは付加された塩基配列からなるポリヌクレオチド、前記ポリヌクレオチドとストリンジェントな条件下にハイブリダイズするポリヌクレオチド等を挙げることができる。
具体的には、配列番号１で示される塩基配列における塩基番号１００番から    番までの領域で示される塩基配列からなるＤＮＡ、配列番号１で示される塩基配列における塩基番号２００番から３８７１番までの領域で示される塩基配列からなるＤＮＡ、配列番号１で示される塩基配列における塩基番号３００番から３８７１番までの領域で示される塩基配列からなるＤＮＡ、配列番号１で示される塩基配列における塩基番号４００番から３８７１番までの領域で示される塩基配列からなるＤＮＡ、配列番号１で示される塩基配列における塩基番号５００番から３８７１番までの領域で示される塩基配列からなるＤＮＡ等を挙げることができる。
プローブに用いる前記ＤＮＡは、例えば、化学合成法、ＰＣＲ、ハイブリダイゼーション法等、「本発明ポリヌクレオチドの調製方法」として前述した通常のポリヌクレオチドの調製方法によって得ることができる。
プローブに用いる前記ＤＮＡを放射性同位元素により標識するには、例えば、ベーリンガー製、宝酒造製のＲａｎｄｏｍ  Ｌａｂｅｌｌｉｎｇ  Ｋｉｔ等を用いることができ、通常のＰＣＲ反応組成中のｄＣＴＰを［α−32Ｐ］ｄＣＴＰに替えて、プローブに用いる前記ＤＮＡを鋳型にしてＰＣＲ反応を行うことにより、標識を行うこともできる。また、プローブに用いるＤＮＡを蛍光色素又は酵素で標識する場合には、例えば、ＥＣＦ  Ｄｉｒｅｃｔ  Ｎｕｃｌｅｉｃ  Ａｃｉｄ  Ｌａｂｅｌｌｉｎｇ  ａｎｄ  Ｄｉｔｅｃｔｉｏｎ  Ｓｙｓｔｅｍ（Ａｍｅｒｓｈａｍ  Ｐｈａｒｍａｃｉａ  Ｂｉｏｔｅｃｈ製）又はＡｌｋｐｈｏｓ  Ｄｉｒｅｃｔ  ＤＮＡ  ｌａｌｅｌｉｎｇ  ａｎｄ  ｄｅｔｅｃｔｉｏｎ  ｋｉｔ（Ａｍｅｒｓｈａｍ  Ｐｈａｒｍａｃｉａ  Ｂｉｏｔｅｃｈ製）等を用いることができる。プローブをハイブリダイズさせるＤＮＡライブラリーとしては、例えば、ラットなどのげっ歯類等の動物由来のゲノムＤＮＡライブラリー等を使用することができる。当該ＤＮＡライブラリーには、市販のゲノムＤＮＡライブラリーを用いることもできるし、また「Ｍｏｌｅｃｕｌａｒ  Ｃｌｏｎｉｎｇ：Ａ  Ｌａｂｏｒａｔｏｒｙ  Ｍａｎｕａｌ  ２ｎｄ  ｅｄｉｔｉｏｎ」（１９８９），Ｃｏｌｄ  Ｓｐｒｉｎｇ  Ｈａｒｂｏｒ  Ｌａｂｏｒａｔｏｒｙ  Ｐｒｅｓｓや「Ｃｕｒｒｅｎｔ  Ｐｒｏｔｏｃｏｌｓ  Ｉｎ  Ｍｏｌｅｃｕｌａｒ  Ｂｉｏｌｏｇｙ」（１９８７），Ｊｏｈｎ  Ｗｉｌｅｙ  ＆  Ｓｏｎｓ，Ｉｎｃ．ＩＳＢＮ０−４７１−５０３３８−Ｘ等に記載される通常のライブラリー作製法に従い、例えば、Ｓｔｒａｔａｇｅｎｅ製のλ  ＦＩＸ  ＩＩ、λ  ＥＭＢＬ３、λ  ＥＭＢＬ４、λ  ＤＡＳＨ  ＩＩ等のλベクターを用い、Ｇｉｇａｐａｃｋ  ｐａｃｋａｇｉｎｇ  Ｅｘｔｒａｃｔｓ（Ｓｔｒａｔａｇｅｎｅ製）等をｉｎ  ｖｉｔｒｏパッケージングに用いてゲノムＤＮＡライブラリーを作製し、これを用いることもできる。
【００１７】
ハイブリダイゼーション方法としては、コロニーハイブリダイゼーションやプラークハイブリダイゼーションをあげることができ、ライブラリーの作製に用いられたベクターの種類に応じて方法を選択するとよい。例えば、使用されるライブラリーがプラスミドベクターで構築されたライブラリーである場合には、コロニーハイブリダイゼーションを行うことができる。具体的にはまず、ライブラリーのＤＮＡを宿主微生物に導入して形質転換細胞を取得し、得られた形質転換細胞を希釈して寒天培地にまき、コロニーが現れるまで３７℃で培養を行う。また、使用されるライブラリーがファージベクターで構築されたライブラリーである場合には、プラークハイブリダイゼーションを行うことができる。具体的にはまず、宿主微生物とライブラリーのファージを感染可能な条件下で混合した後さらに軟寒天培地と混合し、これを寒天培地上にまく。その後プラークが現れるまで３７℃で培養を行う。より具体的には、例えば、Ｍｏｌｅｃｕｌａｒ  Ｃｌｏｎｉｎｇ  ２ｎｄ  ｅｄｉｔｉｏｎ（Ｊ．Ｓａｍｂｒｏｏｋ，  Ｅ．Ｆ．Ｆｒｉｓｃｈ，  Ｔ．Ｍａｎｉａｔｉｓ著、Ｃｏｌｄ  Ｓｐｒｉｎｇ  Ｈａｒｂｏｒ  Ｌａｂｏｒａｔｏｒｙ  Ｐｒｅｓｓ  １９８９年）２．６０から２．６５等に記載されている方法に準じて、ＮＺＹ寒天培地に寒天培地１ｍｍ2当り０．１〜１．０ｐｆｕの密度で、約９．０×１０5ｐｆｕのファージライブラリーを広げ、３７℃で６〜１０時間培養する。
【００１８】
次いで、前記のいずれのハイブリダイゼーション法を用いた場合も、前述の培養を行った寒天培地の表面にメンブレンフィルターをのせ、プラスミドを保有する形質転換細胞やファージを当該メンブレンフィルターに転写する。このメンブレンフィルターをアルカリ処理した後、中和処理し、次いで、ＤＮＡを当該フィルターに固定する処理を行う。より具体的には例えば、プラークハイブリダイゼーションの場合には、クローニングとシークエンス：植物バイオテクノロジー実験マニュアル（渡辺、杉浦編集、農村文化社１９８９年）等に記載の通常の方法に準じて、前記寒天培地の上にニトロセルロースフィルター又はナイロンフィルター等、例えば、Ｈｙｂｏｎｄ−Ｎ＋（Ａｍｅｒｓｈａｍ  Ｐｈａｒｍａｃｉａ  Ｂｉｏｔｅｃｈ製）を置き、約１分間静置してファージ粒子をメンブレンフィルターに吸着させる。次に、当該フィルターをアルカリ溶液（１．５Ｍ塩化ナトリウム、０．５Ｎ水酸化ナトリウム）に約３分間浸してファージ粒子を溶解させてファージＤＮＡをフィルター上に溶出させた後、中和溶液（１．５Ｍ塩化ナトリウム、０．５Ｍトリス塩酸、ｐＨ７．５）に約５分間浸す処理を行う。当該フィルターを洗浄溶液（３００ｍＭ塩化ナトリウム、３０ｍＭクエン酸ナトリウム、２００ｍＭトリス塩酸）で約５分間洗った後、例えば、約８０℃で約９０分間ベーキングすることによりファージＤＮＡをフィルターに固定する。このように調製されたフィルターと、前記プローブとを用いてハイブリダイゼーションを行う。ハイブリダイゼーションを行う際の試薬及び温度条件は、例えば、Ｄ．Ｍ．Ｇｌｏｖｅｒ編「ＤＮＡ  ｃｌｏｎｉｎｇ，  ａ  ｐｒａｃｔｉｃａｌ  ａｐｐｒｏａｃｈ」  ＩＲＬ  ＰＲＥＳＳ（１９８５）  ＩＳＢＮ  ０−９４７９４６−１８−７、クローニングとシークエンス：植物バイオテクノロジー実験マニュアル（渡辺、杉浦編集、農村文化社１９８９年）、または、Ｍｏｌｅｃｕｌａｒ  Ｃｌｏｎｉｎｇ  ２ｎｄ  ｅｄｉｔｉｏｎ（Ｊ．Ｓａｍｂｒｏｏｋ，Ｅ．Ｆ．Ｆｒｉｓｃｈ，Ｔ．Ｍａｎｉａｔｉｓ著、Ｃｏｌｄ  Ｓｐｒｉｎｇ  Ｈａｒｂｏｒ  Ｌａｂｏｒａｔｏｒｙ  Ｐｒｅｓｓ、１９８９年）等の記載の方法に準じて行うことができる。例えば、４５０〜９００ｍＭの塩化ナトリウム、４５〜９０ｍＭのクエン酸ナトリウムを含み、ドデシル硫酸ナトリウム（ＳＤＳ）を０．１〜１．０％（Ｗ／Ｖ）の濃度で含み、変性した非特異的ＤＮＡを０〜２００μｇ／ｍＬの濃度で含み、場合によってはアルブミン、フィコール、ポリビニルピロリドン等をそれぞれ０〜０．２％（Ｗ／Ｖ）の濃度で含んでいてもよいプレハイブリダイゼーション溶液、好ましくは、９００ｍＭの塩化ナトリウム、９０ｍＭのクエン酸ナトリウム、１％（Ｗ／Ｖ）のＳＤＳおよび１００μｇ／ｍＬの変性Ｃａｌｆ−ｔｈｙｍｕｓ  ＤＮＡを含むプレハイブリダイゼーション溶液を、前記のようにして作製したフィルター１ｃｍ2当り５０〜２００μＬの割合で準備し、当該溶液に前記フィルターを浸して４２〜６８℃で１〜４時間、好ましくは、４５℃で２時間保温する。次いで、例えば、４５０〜９００ｍＭの塩化ナトリウム、４５〜９０ｍＭのクエン酸ナトリウムを含み、ＳＤＳを０．１〜１．０％（Ｗ／Ｖ）��濃度で含み、変性した非特異的ＤＮＡを０〜２００μｇ／ｍＬの濃度で含み、場合によってはアルブミン、フィコール、ポリビニルピロリドン等をそれぞれ０〜０．２％（Ｗ／Ｖ）の濃度で含んでいてもよいハイブリダイゼーション溶液、好ましくは、９００ｍＭの塩化ナトリウム、９０ｍＭのクエン酸ナトリウム、１％（Ｗ／Ｖ）のＳＤＳおよび１００μｇ／ｍＬの変性Ｃａｌｆ−ｔｈｙｍｕｓ  ＤＮＡを含むハイブリダイゼーション溶液と、前述の方法で調製して得られたプローブ（フィルター１ｃｍ2当り１．０×１０4〜２．０×１０6ｃｐｍ相当量）とを混合した溶液をフィルター１ｃｍ2当り５０〜２００μＬの割合で準備し、当該溶液にフィルターを浸し４２〜６８℃で４〜２０時間、好ましくは、４５℃で１６時間保温しハイブリダイゼーション反応を行う。当該ハイブリダイゼーション反応後、フィルターを取り出し、１５〜３００ｍＭの塩化ナトリウム、１．５〜３０ｍＭのクエン酸ナトリウム、および０．１〜１．０％（Ｗ／Ｖ）のＳＤＳ等を含む４２〜６８℃の洗浄溶液等、好ましくは、３００ｍＭの塩化ナトリウム、３０ｍＭのクエン酸ナトリウム、および１％（Ｗ／Ｖ）のＳＤＳを含む５５℃の洗浄溶液で、１０〜６０分間のフィルター洗浄を１〜４回、好ましくは１５分間の洗浄を２回行う。さらに、フィルターを２×ＳＳＣ溶液（３００ｍＭ塩化ナトリウム、および３０ｍＭクエン酸ナトリウムを含む。）で軽くすすいだのち乾燥させる。このフィルターを、例えば、オートラジオグラフィーなどに供してフィルター上のプローブの位置を検出することにより、用いたプローブとハイブリダイズするＤＮＡのフィルター上の位置を検出する。検出されたＤＮＡのフィルター上の位置に相当するクローンをもとの寒天培地上で特定しこれを釣菌することにより、当該ＤＮＡを有するクローンを単離することができる。具体的には例えば、フィルターをイメージングプレート（富士フィルム）に４時間露光させ、次いで当該プレートをＢＡＳ２０００（富士フィルム）を用いて解析し、シグナルを検出する。フィルターの作製に用いた寒天培地のうち、シグナルが検出された位置に相当する部分を約５ｍｍ角にくり抜き、これを約５００μＬのＳＭバッファー（５０ｍＭトリス−塩酸ｐＨ７．５、０．１Ｍ塩化ナトリウム、７ｍＭ硫酸マグネシウム、および０．０１％（Ｗ／Ｖ）ゼラチンを含む。）に２〜１６時間、好ましくは３時間浸してファージ粒子を溶出させる。得られたファージ粒子溶出液をＭｏｌｅｃｕｌａｒ  Ｃｌｏｎｉｎｇ  ２ｎｄ  ｅｄｉｔｉｏｎ（Ｊ．Ｓａｍｂｒｏｏｋ，Ｅ．Ｆ．Ｆｒｉｓｃｈ，Ｔ．Ｍａｎｉａｔｉｓ著、Ｃｏｌｄ  Ｓｐｒｉｎｇ  Ｈａｒｂｏｒ  Ｌａｂｏｒａｔｏｒｙ  Ｐｒｅｓｓ、１９８９年）２．６０から２．６５に記載の方法に準じて寒天培地に広げ、３７℃で６〜１０時間培養する。この寒天培地を用いて前述の方法と同様の方法でファージＤＮＡをフィルターに固定し、このフィルターと前述のプローブを用いてハイブリダイゼーションを行う。フィルターの作製に用いた寒天培地のうちの、シグナルが検出された位置に相当する部分からファージ粒子を溶出し、これを寒天培地に広げ、前述の方法と同様にフィルターを作製し、ハイブリダイゼーションを行う。この���うなファージクローンの特定と純化を繰り返すことにより、用いたプローブとハイブリダイズする塩基配列からなるＤＮＡを含むファージクローンが得られる。前述のようなハイブリダイゼーション（上述ではアイソトープ法でのファージスクリーニング方法を記載しているが、勿論、後述の実施例のようなAlkphos Direct DNA labeling and Detection kitを用いる法でのスクリーニング方法であってもよい。）によるスクリーニングを行うことにより得られたクローンの保有するＤＮＡは、ＤＮＡ調製や解析が容易なプラスミドベクター、例えば市販のｐＵＣ１８、ｐＵＣ１９、ｐＢＬＵＥＳＣＲＩＰＴ  ＫＳ＋、ｐＢＬＵＥＳＣＲＩＰＴ  ＫＳ−  等にサブクローニングして、プラスミドＤＮＡを調製し、Ｆ．Ｓａｎｇｅｒ，Ｓ．Ｎｉｃｋｌｅｎ，Ａ．Ｒ．Ｃｏｕｌｓｏｎ著、Ｐｒｏｃｅｅｄｉｎｇｓ  ｏｆ  Ｎａｔｉｏｎａｌ  Ａｃａｄｅｍｙ  ｏｆ  Ｓｃｉｅｎｃｅ  Ｕ．Ｓ．Ａ．（１９７７），７４，５４６３−５４６７等に記載されるダイデオキシターミネーティング法を用いてその塩基配列を決定することができる。塩基配列分析に用いる試料の調製は、例えば、Ｍｏｌｅｃｕｌａｒ  Ｃｌｏｎｉｎｇ  ２ｎｄ  ｅｄｉｔｉｏｎ（Ｊ．Ｓａｍｂｒｏｏｋ，Ｅ．Ｆ．Ｆｒｉｓｃｈ，Ｔ．Ｍａｎｉａｔｉｓ著、Ｃｏｌｄ  Ｓｐｒｉｎｇ  Ｈａｒｂｏｒ  Ｌａｂｏｒａｔｏｒｙ  Ｐｒｅｓｓ、１９８９年）１３．１５等に記載されているプライマーエクステンション法に準じて行うことができる。また、ファージクローンをＭｏｌｅｃｕｌａｒ  Ｃｌｏｎｉｎｇ  ２ｎｄ  ｅｄｉｔｉｏｎ（Ｊ．Ｓａｍｂｒｏｏｋ，Ｅ．Ｆ．Ｆｒｉｓｃｈ，Ｔ．Ｍａｎｉａｔｉｓ著、Ｃｏｌｄ  Ｓｐｒｉｎｇ  Ｈａｒｂｏｒ  Ｌａｂｏｒａｔｏｒｙ  Ｐｒｅｓｓ、１９８９年）２．６０から２．６５等に記載の方法に準じてＮＺＹＭ液体培地で増幅し、ファージ液を調製して、これから例えば、Ｌａｍｂｄａ−ＴＲＡＰＰＬＵＳ  ＤＮＡ  Ｉｓｏｌａｔｉｏｎ  Ｋｉｔ（Ｃｌｏｎｔｅｃｈ製）等を用いてファージクローンＤＮＡを抽出し、当該ＤＮＡを鋳型として、例えば、前述のプライマーエクステンション法により塩基配列分析用の試料を調製し、塩基配列を分析することもできる。このようにして作製されたポリヌクレオチドが有する三量体Ｇタンパク質αサブユニットＧｍ１をコードする遺伝子の転写を制御する能力は後述する方法により確認することができる。
【００１９】
本発明プラスミドの調製において、本発明ポリヌクレオチド（因みに、ここでの本発明ポリヌクレオチドはＤＮＡを意味するものである。）を挿入するためのプラスミドとしては、所望の細胞内で機能可能なプラスミドであれば良く、当該プラスミドが導入された細胞を選択するためのマーカー遺伝子（例えば、カナマイシン耐性遺伝子、ハイグロマイシン耐性遺伝子、ネオマイシン耐性遺伝子等）を含んでいてもよい。また、前記プラスミドにおいて、本発明ポリヌクレオチドおよび所望の遺伝子がプラスミド上で機能可能な形で連結されるような位置、例えば当該ポリヌクレオチドを挿入する部位の下流に遺伝子挿入部位がさらに有ると、所望の遺伝子を細胞内で発現させるためのプラスミドの構築等に好ましく利用できる。ここで遺伝子挿入部位とは、例えば、遺伝子工学的手法で通常用いられる制限酵素が特異的に認識切断可能な塩基配列であり、本発明ポリヌクレオチドを有するプラスミド上に唯一存在する種類の制限酵素認識配列が好ましい。当該プラスミドとして具体的には、例えば、大腸菌を宿主とする場合にはpBR322（Boehringer Mannheim製）、pUC12、pUC118、pUC119（宝酒造製）等のpUC系プラスミド、pBluescript等、バチルス属細菌を宿主とする場合にはpUB110、pC194等が挙げられる。酵母を宿主とする場合にはYip5、Yep24等が挙げられる。昆虫細胞を宿主とする場合にはAcNPV等が挙げられる。動物細胞を宿主とする場合にはpUC18、pUC19等が挙げられる。
【００２０】
本発明ポリヌクレオチドの前記プラスミドへの挿入は、通常の方法、例えば「Ｍｏｌｅｃｕｌａｒ  Ｃｌｏｎｉｎｇ：Ａ  Ｌａｂｏｒａｔｏｒｙ  Ｍａｎｕａｌ  ２ｎｄ  ｅｄｉｔｉｏｎ」（１９８９），Ｃｏｌｄ  Ｓｐｒｉｎｇ  Ｈａｒｂｏｒ  Ｌａｂｏｒａｔｏｒｙ  Ｐｒｅｓｓ、「Ｃｕｒｒｅｎｔ  Ｐｒｏｔｏｃｏｌｓ  Ｉｎ  Ｍｏｌｅｃｕｌａｒ  Ｂｉｏｌｏｇｙ」（１９８７），Ｊｏｈｎ  Ｗｉｌｅｙ  ＆  Ｓｏｎｓ，Ｉｎｃ．ＩＳＢＮ０−４７１−５０３３８−Ｘ等に記載される方法に準じて行うことができる。
【００２１】
本発明プラスミドのうち、本発明探索方法において用いられる形質転換細胞に導入されるプラスミドとしては、例えば、本発明ポリヌクレオチドの下流（３’側）に当該ポリヌクレオチドによって転写が制御されるポリヌクレオチドを含有するプラスミド、より具体的には、本発明ポリヌクレオチドを含有しかつ当該ポリヌクレオチドの下流（３’側）にレポーター遺伝子を含有するプラスミド等をあげることができる。ここで、レポーター遺伝子がルシフェラーゼ遺伝子である場合には、本発明プラスミドのうち本発明ポリヌクレオチドの制御下にルシフェラーゼ遺伝子を含むプラスミドは、当該プラスミド中の本発明ポリヌクレオチドの本転写制御能力を測定する場合に好ましく利用することができ、ルシフェラーゼ遺伝子を含む市販のプラスミド、例えば、ｐＧＬ３−ｂａｓｉｃ（Ｐｒｏｍｅｇａ製）、ＰｉｃａＧｅｎｅ  Ｂａｓｉｃ  Ｖｅｃｔｏｒ（東洋インキ製）等のプラスミドを使って作製することができる。具体的には、ｐＧＬ３−ｂａｓｉｃの遺伝子挿入部位に通常の方法により本発明ポリヌクレオチドを機能可能な形で挿入することにより、本発明ポリヌクレオチドの制御下にルシフェラーゼ遺伝子を含むプラスミドを作製することができる。
【００２２】
本発明形質転換細胞（即ち、本発明ポリヌクレオチド又は本発明プラスミドが導入されてなる形質転換細胞）の調製方法について以下に説明する。
本発明ポリヌクレオチド又は本発明プラスミドを導入する宿主細胞としては、大腸菌（例えばK12）、バチルス属細菌（例えばMI114）等の細菌、酵母（例えばAH22）、植物細胞、動物細胞等の細胞をあげることができ、本発明ポリヌクレオチド又は本発明プラスミドが細胞内で増幅可能な形態を保てる細胞であればよい。好ましくは動物細胞（例えばPC-12細胞、Neuro-2a細胞、IMR-32細胞、COS-7細胞、Vero細胞、CHO細胞、ＥＳ細胞等）、特に好ましくは神経細胞を挙げることができる。尚、ＥＳ細胞の場合には、本発明形質転換細胞として、本発明ポリヌクレオチド又は本発明プラスミドが導入されたＥＳ細胞を分化させた転換細胞や、ＥＳ細胞を分化した後、当該細胞に本発明ポリヌクレオチド又は本発明プラスミドが導入された転換細胞を含む。また本発明形質転換細胞は、これら転換細胞から発生・作製された動物個体（即ち、形質転換動物）内に存在する状態での細胞をも含むものである。
本発明ポリヌクレオチド又は本発明プラスミドの宿主細胞への導入法としては、細胞に応じた導入方法を適用することができ、例えば動物細胞にはリン酸カルシウム法、電気導入法、ＤＥＡＥデキストラン法、ミセル形成法などを適用することができる。具体的には例えば、リン酸カルシウム法としては、Ｇｒｉｍｍ，Ｓ．  ｅｔ  ａｌ．，Ｐｒｏｃ．Ｎａｔｌ．Ａｃａｄ．Ｓｃｉ．ＵＳＡ，９３，１０９２３−１０９２７等に記載の方法を挙げることができ、電気導入法およびＤＥＡＥデキストラン法としては、Ｔｉｎｇ，Ａ．Ｔ．  ｅｔ  ａｌ．，ＥＭＢＯ  Ｊ．，１５，６１８９−６１９６等に記載の方法を挙げることができ、ミセル形成法としては、Ｈａｗｋｉｎｓ，Ｃ．Ｊ．  ｅｔ  ａｌ．，Ｐｒｏｃ．Ｎａｔｌ．Ａｃａｄ．Ｓｃｉ．ＵＳＡ，９３，１３７８６−１３７９０等に記載の方法を挙げることができる。ミセル形成法としては例えば、リポフェクトアミン（ＧｉｂｃｏＢＲＬ製）やフュージーン（Ｂｏｅｈｒｉｎｇｅｒ  Ｍａｎｎｈｅｉｍ製）等の市販の試薬を使用することが可能である。
【００２３】
本発明ポリヌクレオチド又は本発明プラスミドの導入処理を施した細胞を、例えば、当該ベクターに予め含まれる選抜マーカー遺伝子を利用し、当該選択マーカー遺伝子に応じた選抜条件の培地で培養することにより、形質転換細胞を選抜することができる。
【００２４】
本発明は、本発明形質転換細胞に被験物質を接触させる方法を提供している。即ち、三量体Ｇタンパク質αサブユニットＧｍ１のプロモーターを介したシグナル伝達調節物質の探索方法であって、
（１）本発明ポリヌクレオチドを含有しかつ当該ポリヌクレオチドの下流（３’側）にレポーター遺伝子を含有するプラスミドが導入されてなる形質転換細胞に被験物質を接触させる第一工程、及び、
（２）前記第一工程後に、レポーター遺伝子の発現量又はそれと相関する指標値をモニターする第二工程、
（３）前記第二工程によりモニターされた発現量又はそれと相関する指標値の変化に基づき前記物質が有する三量体Ｇタンパク質αサブユニットＧｍ１のプロモーターを介したシグナル伝達調節能力を評価する第三工程、及び
（４）前記第三工程で評価されたシグナル伝達調節能力に基づき三量体Ｇタンパク質αサブユニットＧｍ１のプロモーターを介したシグナル伝達調節能力を有する物質を選抜する第四工程、
を有することを特徴とする探索方法（即ち、本発明探索方法）である。当該探索方法は、いわゆるレポータージーンアッセイを用いる、基づき三量体Ｇタンパク質αサブユニットＧｍ１のプロモーターを介したシグナル伝達調節能力を有する物質の探索方法である。
【００２５】
使用される細胞としては、哺乳動物細胞を宿主とする本発明形質転換細胞が好ましく、例えば、PC-12細胞、Neuro-2a細胞、IMR-32細胞、Vero細胞、Hela細胞、CV1細胞、COS1細胞、CHO細胞、ＥＳ細胞等の公知の哺乳動物細胞を宿主とする本発明形質転換細胞が特に好ましい。当該形質転換細胞は、上述のようにして調製すればよい。
【００２６】
上記の第一工程において、本発明ポリヌクレオチドを含有しかつ当該ポリヌクレオチドの下流（３’側）にレポーター遺伝子を含有するプラスミドが導入されてなる形質転換細胞と接触させる被験物質の濃度は、通常約０．００１μＭ〜約１００μＭであればよく、約０．０１μＭ〜約１０μＭが好ましく、約０．１μＭ〜約１０μＭがより好ましい。当該細胞と被験物質とを接触させる時間は、通常、約１時間以上５日程度であり、数時間から４日程度が好ましい。好ましくは、１８時間以上６０時間程度であり、より好ましくは２４時間から４０時間程度が挙げられる。
当該細胞と被験物質との接触は、当該細胞が成育可能な条件で培養しながら行えばよい。例えば、哺乳動物細胞を宿主とする本発明形質転換細胞の場合には、適宜ウシ胎児血清等の哺乳動物由来の血清を添加したＤ−ＭＥＭ、ＯＰＴＩ−ＭＥＭ、ＲＰＭＩ１６４０培地（Ｇｉｂｃｏ−ＢＲＬ製）等の市販の培地中で培養できる。培養は、通常約３０℃〜約４０℃、約２％（Ｖ／Ｖ）〜１０％（Ｖ／Ｖ）二酸化炭素存在下で実施すればよく、約３５℃〜約３７℃、約４％（Ｖ／Ｖ）〜約６％（Ｖ／Ｖ）二酸化炭素存在下で実施するのがより好ましい。
被験物質と接触させる際の当該細胞の細胞数は、例えば９６ウェルプレートを用いる場合、通常約１×１０4個／ウェル〜約１×１０5個／ウェルであればよく、約５×１０４個／ウェル〜約８×１０４個／ウェルが好ましい。
【００２７】
上記の探索方法において、「レポーター遺伝子の発現量又はそれと相関する指標値をモニターする」方法としては、前記形質転換細胞中におけるレポーター遺伝子の発現量又はそれと相関する指標値を時間経過に沿って連続的に又は不連続に測定できる方法であればどのような方法であってもよい。例えば、レポーター遺伝子として酵素遺伝子を用いる場合には当該酵素の活性測定を利用し、またレポーター遺伝子の発現産物、即ち当該遺伝子に対応するｍＲＮＡもしくは当該遺伝子に対応する蛋白質を検出する方法（具体的にはノザンブロッティング、ウェスタンブロッティング等）等を利用すればよい。
【００２８】
レポーター遺伝子として酵素遺伝子を用いる場合における当該酵素の活性測定を利用する方法において、使用され得るレポーター遺伝子としては、例えば、ルシフェラーゼ遺伝子、分泌型アルカリフォスファターゼ（SEAP）遺伝子、ＧＦＰ（Ｇｒｅｅｎ  Ｆｌｕｏｒｅｓｃｅｎｔ  Ｐｒｏｔｅｉｎ）、クロラムフェニコールアセチルトランスフェラーゼ、βガラクトシダーゼ等、発現生成した蛋白質の活性の測定が容易であるものを好ましくあげることができる。
【００２９】
レポーター遺伝子としてはルシフェラーゼ遺伝子を用いる場合には次のようにすればよい。ルシフェラーゼ遺伝子の発現量は、細胞溶解液に発光基質であるルシフェリン（例えば東洋インキ社製）を添加し基質の分解による発光をルミノメーター、液体シンチレーションカウンター又はトップカウンター等を用いて測定すればよい。アルカリフォスファターゼ遺伝子の発現量は、例えばLumi-Phos530（和光純薬社製）を用いて測定できる。クロラムフェニコールアセチルトランスフェラーゼ遺伝子の発現量は、FAST CAT Chrolamphenicol Acetyltransferase Assay Kit(和光純薬社製)を用いて測定できる。β-ガラクトシダーゼ遺伝子の発現量はAurora Gal-XE（和光純薬社製）を用いて測定できる。
【００３０】
また、レポーター活性と相関する指標値も測定対象にすることができる。例えば、レポーター活性と相関する指標値としては、レポーター遺伝子の一部を含むポリヌクレオチドを用いたノーザンブロット、ＲＴ−ＰＣＲなどによって測定できる。またレポーター遺伝子より産生されたタンパク質に対する抗体を用いて測定することもできる。
【００３１】
前記のようにして、前記細胞と被験物質との接触および前記細胞における本発明ポリヌクレオチドの本転写制御能力の測定を行い、当該転写制御能力の上昇が検出された場合（例えば、30％程度、好ましくは50％程度、さらに好ましくは100％程度増加するような変化が認められた場合）または低下が検出された場合（例えば、30％程度、好ましくは50％程度、さらに好ましくは100％程度減少するような変化が認められた場合）には、当該被験物質を当該プロモーターに作用し当該転写制御能力を制御する物質、即ち、三量体Ｇタンパク質αサブユニットＧｍ１のプロモーターを介したシグナル伝達調節物質として選抜することができる。
【００３２】
当該物質は、本発明ポリヌクレオチドの活性を制御し得ることから、本発明ポリヌクレオチドの制御下にある遺伝子の細胞内での発現を制御することができる。よって、当該物質は、例えば当該遺伝子の翻訳産物の発現過多もしくは発現過少に起因する疾患のための医薬として有用である。また、本発明ポリヌクレオチドの制御下に連結した所望のＤＮＡ、例えば神経・精神疾患との関連が推定されるＤＮＡ等の神経細胞における作用や、Ｇｍ１の発現量の異常、又は、Ｇｍ１のプロモーターを介したシグナル伝達の異常に起因する疾患（特に、神経・精神疾患）への影響を検討する際の転写調節剤として利用することもできる。
【００３３】
被験物質の種類は特に限定されない。例えば、タンパク質、ペプチド、非ペプチド性化合物（糖質、脂質等）、有機低分子化合物、無機低分子化合物、醗酵生産物、細胞抽出液、植物抽出液、動物組織抽出液等が挙げられる。
【００３４】
勿論、本発明ポリヌクレオチドと被験物質との両者を接触させた後の細胞における、本発明ポリヌクレオチドを機能可能な形で連結されてなるレポーター遺伝子の発現量（以下、測定値1と記す。）を、当該ポリヌクレオチドを接触させ、かつ被験物質を接触させなかった後の細胞における前記発現量（以下、測定値２と記す。）と比較することによって、当該被験物質の本転写制御能力を評価してもよい。この場合、本転写制御能力を、前記測定値を用いて、下記の式に従って転写制御率として求めるとよい。
転写制御率（％）＝｛（測定値１−測定値２）／測定値２｝×１００
被験物質の本転写制御能力を表わす転写制御率が、統計学的に有意な値を示す物質、具体的に好ましくは、例えば、３０％以上を示す物質、より好ましくは５０％以上を示す物質を、本転写制御能力を有する物質として選抜する。
【００３５】
さらに上記の探索方法では、被験物質として異なる２種以上の物質を各々独立して用いた区におけるレポーター遺伝子の発現量の変化を比較することにより得られる差異に基づき前記物質の本転写制御能力を評価してもよい。このようにして評価された本転写制御能力に基づき本転写制御能力を有する物質を選抜することもできる。
【００３６】
さらにまた、前記異なる２種以上の物質のうち、少なくとも一つの物質が本転写制御能力を有さない物質（例えば、溶媒、バックグランドとなる試験系溶液等であってもよい。）とすることで、他方の被験物質が有する本転写制御能力を評価してもよいし、また前記異なる２種以上の物質のうち、少なくとも一つの物質が有する本転写制御能力を基準としながら他方の被験物質が有する本転写制御能力を評価してもよい。
このような探索方法により選抜された物質またはその薬学的に許容される塩は、それらを有効成分として含み、当該有効成分が薬学的に許容される担体中に製剤化されてなることを特徴とする転写制御剤として利用してもよい。
【００３７】
次に、本発明ポリヌクレオチドと結合する物質の探索方法について以下の説明する。
本発明ポリヌクレオチドと結合する物質の選抜方法は、本発明ポリヌクレオチドと被験物質とを接触させる第一工程、前記第一工程後に当該プロモーターと被験物質との複合体生成の有無を調べる第二工程及び前記第二工程で得られた複合体生成の有無結果に基づき当該ポリヌクレオチドと結合する物質を選抜する第三工程を含む。
本発明ポリヌクレオチドと被験物質とを接触させる第一工程に使用されるポリヌクレオチドは、本発明ポリヌクレオチドを、例えば市販のＤＮＡ標識キットを用い、ラジオアイソトープ若しくは蛍光色素化合物で標識して用いると、当該ポリヌクレオチドと被験物質との複合体の検出が容易になる点で好ましい。当該ポリヌクレオチドを放射性同位元素により標識するには、例えば、市販のＲａｎｄｏｍ  Ｌａｂｅｌｌｉｎｇ  Ｋｉｔ等を用いることができ、通常のＰＣＲ反応組成中のｄＣＴＰを［α−32Ｐ］ｄＣＴＰに替えて、当該ＤＮＡを鋳型にしてＰＣＲ反応を行うことにより、標識を行うこともできる。また、当該ＤＮＡを蛍光色素で標識する場合には例えば、ＥＣＦ  Ｄｉｒｅｃｔ  Ｎｕｃｌｅｉｃ  Ａｃｉｄ  Ｌａｂｅｌｌｉｎｇ  ａｎｄ  Ｄｅｔｅｃｔｉｏｎ  Ｓｙｓｔｅｍ等を用いることができる。
当該ポリヌクレオチドと被験物質とを、約４℃〜約３７℃、好ましくは約２０℃〜約３０℃で、約５分間〜約６０分間、好ましくは約１０分間〜約３０分間適当なバッファー中、例えばトリス、Ｈｅｐｅｓ、ＭＥＳ等のバッファー中、好ましくはＨｅｐｅｓバッファー中で接触させる。被験物質の濃度は通常約０．１μＭ〜約１，０００μＭであればよく、１μＭ〜１００μＭが好ましい。当該ＤＮＡの量は通常約１ｆｍｏｌ〜約１０ｆｍｏｌであればよく、２ｆｍｏｌ〜７ｆｍｏｌが好ましい。
【００３８】
当該ポリヌクレオチドと被験物質との複合体生成の有無を調べる方法としては、ゲルシフト法、フットプリント法、ＢＩＡＣＯＲＥ法等を挙げることができる。被験物質が比較的高分子量の化合物（例えばタンパク質、ＤＮＡ等）の場合、ゲルシフト法、フットプリント法等を用いるとよい。被験物質が比較的低分子量の化合物の場合、ＢＩＡＣＯＲＥ法、例えば「永田和宏・半田宏共著  生体物質相互作用のリアルタイム解析実験法−ＢＩＡＣＯＲＥを中心に−  シュプリンガー・フェアラーク東京株式会社」記載の方法を用いるとよい。例えば、ゲルシフト法の場合、先ず当該ＤＮＡと被験物質混合液を、通常の方法でポリアクリルアミドゲル電気泳動に供する。電気泳動後のポリアクリルアミドゲルを乾燥した後、例えば、オートラジオグラフィーなどに供してゲル上の当該ＤＮＡの位置を検出することにより、当該ＤＮＡと被験物質が結合しているかどうか調べることが出来る。具体的には例えば、乾燥したゲルをイメージングプレートに約１時間〜約１晩、より好ましくは６〜８時間感光し、ＢＡＳ２０００で画像イメージを取得する。被験物質が当該ポリヌクレオチドと結合した場合、ポリヌクレオチド−被験物質複合体の移動度が遊離のポリヌクレオチドより小さくなり、画像イメージ上のバンドのシフトが起こる。バンドのシフトが検出された場合の被験物質を、本発明ポリヌクレオチドと結合する物質として選抜することが出来る。当該結合物質は、本発明ポリヌクレオチドに結合できることから、本発明ポリヌクレオチドの本転写制御能力を制御し得る。さらに、本発明ポリヌクレオチドの制御下にある遺伝子の細胞内での発現を制御し得る。よって、当該物質は、当該遺伝子の翻訳産物の発現過多もしくは発現過少に起因する疾患のための医薬として有用である。また、本発明ポリヌクレオチドの制御下に連結した所望のＤＮＡ、例えば神経・精神疾患との関連が推定されるＤＮＡや行動や記憶との関連が推定されるＤＮＡ等の神経細胞における作用や、Ｇｍ１の発現量の異常、又は、Ｇｍ１のプロモーターを介したシグナル伝達の異常に起因する疾患（特に、神経・精神疾患）や行動・記憶等への影響を検討する際の転写調節剤として利用することもできる。
【００３９】
本発明精製方法について以下の説明する。
本発明精製方法は、本発明ポリヌクレオチドと試料とを接触させて、当該ポリヌクレオチドと当該試料中に含有される当該ポリヌクレオチドと結合する物質との複合体を生成させる第一工程、及び、前記第一工程後、生成させた複合体から当該結合物質を単離する第二工程を含む。
本発明ポリヌクレオチドと被験物質とを接触させる際には、通常、当該ポリヌクレオチドを担体に結合させた形態で被験物質との接触を行うと、当該ポリヌクレオチドもしくは当該ポリヌクレオチドと結合物質との複合体を容易に回収できる点で好ましい。当該ポリヌクレオチドを結合させる担体の種類は特に限定されないが、例えば、市販のアフィニティークロマトグラフィー用担体、好ましくは臭化シアン活性化セファロース４Ｂ（Ａｍｅｒｓｈａｍ  Ｐｈａｒｍａｃｉａ  Ｂｉｏｔｅｃｈ製）等を使用することができる。当該ポリヌクレオチドを担体に結合させる場合には、当該ポリヌクレオチドを直接担体に結合させる方法と、スペーサーを介して結合させる方法がある。結合させる際の条件は、例えば、当該ポリヌクレオチドと臭化シアン活性化セファロース４Ｂを混合し、約４℃〜約１０℃で１晩１０００ｒｐｍで撹拌し、当該ポリヌクレオチドをセファロース上に固定する。ついで、未反応の臭化シアンの活性基を無くすために、アミノ基を持つ化合物を含んだバッファー、例えば、１Ｍグリシンを含む炭酸水素ナトリウム溶液中で、例えば約４℃〜約１０℃で１晩放置する。得られたゲルは、通常のバッチ法により被験物質と接触させてもよく、また、そのゲルを市販のクロマトグラフ管に充填することで、本発明ポリヌクレオチドと結合する物質用アフィニティーカラムを作製し、通常のカラムクロマトグラフィー法により被験物質と接触させてもよい。
【００４０】
例えば、カラムクロマトグラフィー法で接触・単離を行う場合、前記した試料をアフィニティーカラムに供し当該ポリヌクレオチドとポリヌクレオチド結合物質の複合体を形成せしめた後、担体の洗浄、結合物質の溶出を通常の方法で行うことで、結合物質を単離することができる。具体的には、まず試料をロードし、次いで、ロードするときと同組成のバッファーで洗浄し、複合体形成しなかった試料中成分を除去する。その後、バッファーに含まれる塩濃度を上昇させるグラジエントを行い本発明ポリヌクレオチドと結合する物質を溶出することによって、本発明ポリヌクレオチドと結合する物質を単離することができる。溶出に使われる前記の塩は、例えば塩化ナトリウム、塩化カリウム、硫安等を挙げることができる。
本発明精製方法によって、本発明ポリヌクレオチドの本転写制御能力を制御する物質の選抜方法によって選抜される物質又は本発明ポリヌクレオチドと結合する物質の選抜方法によって選抜される物質を精製することができる。
【００４１】
本発明キットは、本発明のポリヌクレオチド（ここではDNA）を有する組み換えレポーターベクターを保持する試験細胞と；レポーター活性の測定用試薬とを含むキットである。
当該キットは、前述した本発明探索方法に使用できる。
本発明キットは、さらに、本発明ポリヌクレオチド（ここではDNA）を有しないプラスミドが導入されてなる対照細胞を含んでいてもよい。このような対照細胞はネガティブコントロールとして利用することができる。
【００４２】
このような探索方法により選抜された物質またはその薬学的に許容される塩は、それらを有効成分として含み、当該有効成分が薬学的に許容される担体中に製剤化されてなることを特徴とする転写制御剤として利用してもよい。
従って、本発明転写制御剤の有効成分としての物質は、本発明ポリヌクレオチドの制御下にある遺伝子の細胞内での発現を制御することによって、当該遺伝子の翻訳産物の発現過多もしくは発現過少に起因する疾患のための医薬として有用である。また、本発明ポリヌクレオチドの制御下に連結した所望のＤＮＡ、例えば神経・精神疾患との関連が推定されるＤＮＡや行動や記憶との関連が推定されるＤＮＡ等の神経細胞における作用や、Ｇｍ１の発現量の異常、又は、Ｇｍ１のプロモーターを介したシグナル伝達の異常に起因する疾患（特に、神経・精神疾患）や行動・記憶等への影響を検討する際の転写調節剤として利用することもできる。
【００４３】
本発明探索方法及び本発明結合物質探索方法により選抜される物質またはその薬学的に許容される塩を有効成分とする転写制御剤は、その有効量を経口的または非経口的にヒト等の哺乳動物に対し投与することができる。例えば、経口的に投与する場合には、本転写制御剤は錠剤、カプセル剤、シロップ剤、懸濁液等の通常の形態で使用することができる。また、非経口的に投与する場合には、本転写制御剤を溶液、乳剤、懸濁液等の通常の液剤の形態で使用することができる。前記形態の本転写制御剤を非経口的に投与する方法としては、例えば注射する方法、坐剤の形で直腸に投与する方法等を挙げることができる。
【００４４】
前記の適当な投与剤型は許容される通常の担体、賦型剤、結合剤、安定剤、希釈剤等に本探索方法により選抜される物質またはその薬学的に許容される塩を配合することにより製造することができる。また注射剤型で用いる場合には、許容される緩衝剤、溶解補助剤、等張剤等を添加することもできる。
【００４５】
投与量は、投与される哺乳動物の年令、性別、体重、疾患の程度、本転写制御剤の種類、投与形態等によって異なるが、通常は経口の場合には成人で１日あたり有効成分量として約１ｍｇ〜約２ｇ、好ましくは有効成分量として約５ｍｇ〜約１ｇを投与すればよく、注射の場合には成人で有効成分量として約０．１ｍｇ〜約５００ｍｇを投与すればよい。また、前記の１日の投与量を１回または数回に分けて投与することができる。
【００４６】
本転写制御剤の適用可能な疾患としては、Ｇタンパク質のプロモーターを介したシグナル伝達の異常に起因する疾患（特に、神経・精神疾患）等をあげることができ、具体的には例えば、統合失調症、躁鬱病、うつ病及び不安症等の神経・精神疾患があげられる。これらの疾患を治療・改善・予防するために本転写制御剤を用いればよい。
【実施例】
【００４７】
以下、本発明をより詳細に説明するため、実施例を挙げて説明するが本発明はこれらの例に限定されるものではない。
【００４８】
実施例１  （マウスＧｍ１プロモーター領域を含むポリヌクレオチド配列のクローニング）
マウスＧｍ１プロモーター領域を含むポリヌクレオチド配列を以下のようにして単離した。
【００４９】
１．ファージスクリーニング用プローブの作製
ファージライブラリーのスクリーニングを行なうために、以下に示す手順によってマウスＧｍ１遺伝子の5'上流領域を含むプローブＤＮＡを作製した。
マウスＣ５７ＢＬ/６由来のゲノムＤＮＡ１μｇを鋳型に用い、10μMのフォワードプライマーｍＧｍg−1（５’tgttctcccgacccttcagggatcttcttt；配列番号４）、10μMのリバースプライマーｍＧｍｇ−２（５’−acctatgagcagcaatggatagagtctat；配列番号５）およびTAKARATaqポリメラーゼ（TAKARALATaq with GC Buffer, 宝酒造社製）を用いてＰＣＲを行うことにより増幅ＤＮＡを得た。
ＰＣＲ条件は、９５℃で３０秒間、次いで６０℃で３０秒間、次いで７２℃で２分間の保温を１サイクルとしてこれを３５サイクル行った。
得られたＤＮＡをアガロースゲル電気泳動した後、QIAquick  Gel  Extraction  kit（QIAGEN製）を用いて精製し、回収した。この精製・回収されたＤＮＡをプローブ用鋳型ＤＮＡとして以下の実験で用いた。
次に当該プローブ用鋳型ＤＮＡ10μlを、Alkphos Direct DNA labeling and detectionキット（アマシャムバイオサイエンス社製）を用い、当該キットに添付されたプロトコールに従って、アルカリフォスフォターゼでラベルされたプローブＤＮＡを調製した。
【００５０】
２．ゲノムライブラリーのスクリーニング
マウス１２９／ｓｖ由来ゲノムライブラリー（STRATAGENE社製）を用い、以下の手順でマウスＧｍ１プロモーターの単離を行なった。
１５ｃｍのＮＺＹプレート２０枚に１x１０６のファージを播き、これを３７℃で８時間培養することにより、プラークを形成させた。プラーク形成されたプレートにニトロセルロースメンブレンを接触させることにより、形成されたプラークをニトロセルロースメンブレン上に移した。このニトロセルロースメンブレンと、アルカリフォスフォターゼでラベルされたプローブＤＮＡを、Alkphos Direct DNA labeling and detectionキット（アマシャムバイオサイエンス社製）を用い、当該キットに添付されたプロトコールに従って、ハイブリダイゼーションを行なった。またハイブリダイゼーションによるシグナルの検出も、Alkphos Direct DNA labeling and detectionキット（アマシャムバイオサイエンス社製）を用い、当該キットに添付されたプロトコールに従って行なった。
ハイブリダイゼーションによりシグナルが検出されたファージより、Wizard Lambda Prepsキット（プロメガ社製）を用い、その添付プロトコールに従って、DNAを回収しマウスＧｍ１プロモーター領域を含むポリヌクレオチド配列をクローニングした。
【００５１】
実施例２  （マウスＧｍ１プロモーターを含むレポーターベクターの構築）
マウスＧｍ１プロモーター領域を含むポリヌクレオチド配列を有するレポーターベクターであるｐＧＬ−Ｇｍ１およびその一部のポリヌクレオチド配列を有するレポーターベクターであるｐＧＬ−Ｇｍ１／ＳａｃＩを以下のようにして作製した。
実施例１より得られたマウスＧｍ１プロモーター領域を含むファージＤＮＡをSacIで消化した後、得られた消化物をアガロースゲル電気泳動した後、QIAquick Gel Extraction  kit（QIAGEN製）を用いて精製し、回収した。この精製・回収されたＤＮＡをインサートＤＮＡとして以下の実験で用いた。ｐＧＬ３をSacIで消化した後、アルカリフォスフォターゼ処理することにより、ベクターを調製した。次いで、調製されたベクター５０ｎｇとインサートＤＮＡ１０ｎｇとをＴ４ライゲースを用いて連結することにより、Ｇｍ１プロモーターレポーターベクターｐＧＬ−Ｇｍ１／ＳａｃＩを作製した。当該ベクターｐＧＬ−Ｇｍ１／ＳａｃＩにおいては、配列番号２で示される塩基配列（当該配列は、配列番号１における塩基番号６０３番から３８７１番で示される塩基配列に相当する。）が、ｐＧＬ３のSacI部位に挿入されている。
さらに実施例１で得られたマウスＧｍ１プロモーター領域を含むファージＤＮＡをNheIで消化した後、得られた消化物をアガロースゲル電気泳動した後、QIAquick Gel Extraction  kit（QIAGEN製）を用いて精製し、回収した。この精製・回収されたＤＮＡをインサートＤＮＡとして以下の実験で用いた。次いでｐＧＬ３をNheIで消化した後、アルカリフォスフォターゼ処理することにより、ベクターを調製した。調製されたベクター５０ｎｇとインサートＤＮＡ１０ｎｇとをＴ４ライゲースを用いて連結することにより、Ｇｍ１プロモーターレポーターベクターｐＧＬ−Ｇｍ１／ＮｈｅＩを作製した。次にｐＧＬ―Ｇｍ１／ＳａｃＩをNdeIおよびXhoIで二重消化した後、得られた消化物をアガロースゲル電気泳動した後、2kbのDNA断片をQIAquick Gel Extraction kit（QIAGEN製）を用いて精製し、回収した。この精製・回収されたＤＮＡをインサートＤＮＡとして以下の実験で用いた。ｐＧＬ−Ｇｍ１／ＮｈｅＩをNdeIおよびXhoIで二重消化した後、得られた消化物（ベクター）５０ｎｇとインサートＤＮＡ１０ｎｇとをＴ４ライゲースを用いて連結することにより、Ｇｍ１プロモーターレポーターベクターｐＧＬ−Ｇｍ１を作製した。当該ベクターｐＧＬ−Ｇｍ１においては、配列番号１で示される塩基配列が、ｐＧＬ３のSacI部位とNheI部位との間に挿入されている。
【００５２】
実施例３  （マウスＧｍ１プロモーターの転写活性の測定）
実施例１により得られた本発明Ｇｍ１プロモーターの転写活性化能を以下のようにして測定した。
PC12細胞を９６穴プレートの各ウェル内に５×104cells/wellで播種し、約24時間培養した。培養された細胞に実施例２により得たＧｍ１プロモーターレポーターベクター（ｐＧＬ‐Ｇｍ１；０．２μｇ）又はＧｍ１プロモーターベクター（ｐＧＬ‐Ｇｍ１／ＳａｃＩ；０．２μｇ）を、リポフェクション法を用いてトランスフェクションすることにより、試験細胞を調製した。尚、上記と同じように播種された細胞に、Ｇｍ１プロモーターを有しないレポーターベクター（ｐＧＬ３；０．２μｇ）を、リポフェクション法を用いてトランスフェクションすることにより対照細胞を調製した。
次いで、この細胞を３７℃で24時間培養した後、ウェル内の培地を除き、ＰＢＳ緩衝溶液で洗浄した。洗浄された細胞を細胞溶解液（ピッカジーンルシフェラーゼキット、東洋インキ製造社製）で溶解した後、ウェル内に発光基質（ピッカジーンルシフェラーゼキット、東洋インキ製造社製）を添加し、各ウェルの蛍光強度を、ルミノメーターを用いて測定した。対照として、対照細胞も同様にして蛍光強度を測定した。
対照細胞のルシフェラーゼ活性を１００％として、試験細胞のルシフェラーゼ活性が１３０%以上を示す場合を、転写調節能を有するとした。
【００５３】
実施例４  （脳組織における抗Ｇｍ１抗体を用いた免疫染色）
脳における三量体Ｇタンパク質αサブユニットＧｍ１タンパク質の発現分布の解析を、抗Ｇｍ１抗体を用いて蛍光組織免疫染色法より行った。即ち、パラホルムアルデヒドを用いて固定されたマウス脳切片（Ｎｏｖａｇｅｎ社製）を脱パラフィンした後、0.01Ｍクエン酸溶液中でオートクレーブ処理（１２０℃、１５分）した。
次に、脳切片をＴＳＡキット＃１２（モルキュラープローブ社製）に付属されたブロッキング試薬を用いて希釈された抗Ｇｍ１抗体（１／１００希釈）中で、４℃で1時間インキュベーションした。次いで、脳切片をＰＢＳ溶液で２回洗浄した後、脳切片をＴＳＡキット＃１２（モルキュラープローブ社製）に付属されたＨＲＰラベル抗ウサギＩｇＧ抗体中で、４℃で1時間インキュベーションした。次いで、脳切片をＰＢＳ溶液で２回洗浄した後、ＴＳＡキット＃１２（モルキュラープローブ社製）に付属されたチラミドシグナル増幅キットを用いて、当該キットに添付されたプロトコールに従って、蛍光シグナルの検出を行なった。蛍光シグナルは蛍光顕微鏡を用いて観察された。
【００５４】
実施例５  （精神疾患患者脳組織における抗Ｇｍ１抗体を用いた免疫染色）
ヒト精神疾患患者の脳における三量体Ｇタンパク質αサブユニットＧｍ１タンパク質の発現の解析を、抗Ｇｍ１抗体を用いた組織免疫染色法により行った。
即ち、パラホルムアルデヒドを用いて固定されたヒト脳切片スライドLandMark Low Density Neuropsychiatric Tissue MicroArrays（Ambion社製）を脱パラフィンした後、0.01Ｍクエン酸溶液中でオートクレーブ処理（１２０℃、１５分）した。
次に、脳切片を含むスライド（以下、「スライド」と略称する）を超純水で洗浄した後、３％過酸化水素水を含むメタノール中で、室温で10分間インキュベートした。
次にインキュベートされたスライドをＴＮ溶液（0.1Ｍ Tris pH7.5, 0.15M NaCl）で３回洗浄した後、ＴＳＡビオチンシステムＮＥＬ７００（ＰｅｒｋｉｎＥｌｍｅｒ社製）に付属されたブロッキング試薬中で、室温で30分間インキュベートした。
次に、スライドをＴＳＡビオチンシステムＮＥＬ７００（ＰｅｒｋｉｎＥｌｍｅｒ社製）に付属されたブロッキング試薬を用いて希釈された抗Ｇｍ１抗体（１／１００希釈）中で、４℃で1時間インキュベーションした後、これをＴＮ溶液（0.1Ｍ Tris pH7.5, 0.15M NaCl）で３回洗浄した。
次に、スライドをＴＳＡビオチンシステムＮＥＬ７００（ＰｅｒｋｉｎＥｌｍｅｒ社製）に付属されたブロッキング試薬に希釈されたＨＲＰラベル抗ウサギＩｇＧ抗体（１／２００希釈）中で、４℃で1時間インキュベーションした後、これをＴＮ溶液（0.1Ｍ Tris pH7.5, 0.15M NaCl）で３回洗浄した。
次に、スライドをＴＳＡビオチンシステムＮＥＬ７００（ＰｅｒｋｉｎＥｌｍｅｒ社製）に付属されたビオチン化チラミド増幅試薬中で、室温で10分間インキュベーションした後、これをＴＮ溶液（0.1Ｍ Tris pH7.5, 0.15M NaCl）で３回洗浄した。
次に、スライドをＴＳＡビオチンシステムＮＥＬ７００（ＰｅｒｋｉｎＥｌｍｅｒ社製）に付属された抗ＨＲＰラベル抗アビジン抗体中で、室温で30分間インキュベーションした後、これをＴＮ溶液（0.1Ｍ Tris pH7.5, 0.15M NaCl）で３回洗浄した。
このようにして得られたスライドを、ＤＡＢタブレット１錠（シグマ社製）を１５ｍｌ超純水に溶かしたものを用いて発色させた後、顕微鏡で観察した。
【００５５】
実施例６  （マウスＧｍ１プロモーターの一部を含むレポーターベクターの構築）
マウスＧｍ１プロモーター領域の一部を含むポリヌクレオチド配列を有するレポーターベクターであるpGL-Gm1/843-3900を以下のようにして構築する。
マウスＧｍ１のプロモーター領域の一部を含むDNAを増幅するために、マウスＧｍ１プロモーター領域を含むファージＤＮＡ10ngを鋳型に用い10μMのフォワードプライマーprmGmg-843（5’−atcatcacaacaggaaagtaataaaa；配列番号６）、10μMのリバースプライマーprmGmg-3900（5’−attgtgcatccttcgaacgtccca；配列番号７）およびTAKARA LA Taqポリメラーゼ（TAKARA LA Taq with GC Buffer，宝酒造製）を用いてPCRを行なう。
PCR条件は、95℃で30秒間次いで60℃で30秒間次いで72℃で2分間の保温を1サイクルとしてこれを35サイクル行なう。得られたDNAをアガロースゲル電気泳動した後、QIAquick Gel Extraction kit（QIAGEN製）を用いて精製、回収する。この精製・回収されたDNAをインサートDNAとして以下の実験で用いる。
インサートDNA10ngとpDriveベクター（QIAGEN社製）50ngとをT4ライゲースを用いて連結することにより、pDrive−Gm1/843-3900を得る。
得られたマウスＧｍ１プロモーター領域の一部を含むプラスミドpDrive−Gm1/843-3900をMluIおよびSacIで二重消化した後、得られた消化物をアガロースゲル電気泳動した後、QIAquick Gel Extraction kit（QIAGEN製）を用いて精製し、回収する。この精製・回収されたＤＮＡをインサートＤＮＡとして以下の実験で用いた。ｐＧＬ３をMluIおよびSacIで二重消化した後、得られた消化物（ベクター）５０ｎｇとインサートＤＮＡ１０ｎｇとをＴ４ライゲースを用いて連結することにより、Ｇｍ１プロモーターレポーターベクターpGL-Gm1/843-3900を作製する。
マウスＧｍ１プロモーター領域の一部を含むポリヌクレオチド配列を有するレポーターベクターであるpGL-Gm1/1232-3900を、フォワードプライマーprmGmg-1232（5’−tggtgccctcttctggtgtgtct；配列番号８）および10μMのリバースプライマーprmGmg-3900（5’−attgtgcatccttcgaacgtccca；配列番号７）を用いて、上記と同様な手順で構築する。
マウスＧｍ１プロモーター領域の一部を含むポリヌクレオチド配列を有するレポーターベクターであるpGL-Gm1/1989-3900を、フォワードプライマーprmGmg-1989（5’−atgccatatacttgagtcacagtttgtgaa；配列番号９）および10μMのリバースプライマーprmGmg-3900（5’−attgtgcatccttcgaacgtccca；配列番号８）を用いて、上記と同様な手順で構築する。
マウスＧｍ１プロモーター領域の一部を含むポリヌクレオチド配列を有するレポーターベクターであるpGL-Gm1/2937-3900を、フォワードプライマーprmGmg-2937（5’−ctcccgagccttcagggatcttcttt；配列番号１０）および10μMのリバースプライマーprmGmg-3900（5’−attgtgcatccttcgaacgtccca；配列番号８）を用いて、上記と同様な手順で構築する。
マウスＧｍ１プロモーター領域の一部を含むポリヌクレオチド配列を有するレポーターベクターであるpGL-Gm1/848-3776を、フォワードプライマーprmGmg-843（5’−atcatcacaacaggaaagtaataaaa；配列番号６）および10μMのリバースプライマーprmGmg-3776（5’−agactgctccggttaccgtaaatactgcct；配列番号１１）を用いて、上記と同様な手順で構築する。
マウスＧｍ１プロモーター領域の一部を含むポリヌクレオチド配列を有するレポーターベクターであるpGL-Gm1/1232-3776を、フォワードプライマーprmGmg-1232（5’−tggtgccctcttctggtgtgtct；配列番号８）および10μMのリバースプライマーprmGmg-3776（5’−agactgctccggttaccgtaaatactgcct；配列番号１１）を用いて、上記と同様な手順で構築する。
マウスＧｍ１プロモーター領域の一部を含むポリヌクレオチド配列を有するレポーターベクターであるpGL-Gm1/1989-3900を、フォワードプライマーprmGmg-1989（5’−atgccatatacttgagtcacagtttgtgaa；配列番号９）および10μMのリバースプライマーprmGmg-3776（5’−agactgctccggttaccgtaaatactgcct；配列番号１１）を用いて、上記と同様な手順で構築する。
マウスＧｍ１プロモーター領域の一部を含むポリヌクレオチド配列を有するレポーターベクターであるpGL-Gm1/2937-3900を、フォワードプライマーprmGmg-2937（5’−ctcccgagccttcagggatcttcttt；配列番号１０）および10μMのリバースプライマーprmGmg-3776（5’−agactgctccggttaccgtaaatactgcct；配列番号１１）を用いて、上記と同様な手順で構築する。
【００５６】
実施例７  （マウスＧｍ１プロモーターの転写調節領域の決定）
実施例６により得られた本発明のＧｍ１プロモーターの一部の転写活性化能を以下のようにして測定する。
PC12細胞を９６穴プレートの各ウェル内に５×104cells/wellで播種し、約24時間培養する。培養された細胞に実施例６により得られたＧｍ１プロモーターレポーターベクター（pGL-Gm1/843-3900または、pGL-Gm1/1232-3900または、pGL-Gm1/1989-3900または、pGL-Gm1/2937-3900または、pGL-Gm1/848-3776または、pGL-Gm1/1232-3776または、pGL-Gm1/1989-3776または、pGL-Gm1/2937-3776；0.2μｇ）を、リポフェクション法を用いてトランスフェクションすることにより、試験細胞を調製する。尚、上記と同じように播種された細胞を用いて、Ｇｍ１プロモーターを有しないレポーターベクター（ｐＧＬ３；０．２μｇ）を、リポフェクション法を用いてトランスフェクションすることにより、対照細胞を調製する。
次いで、この細胞を３７℃で24時間培養した後、ウェル内の培地を除き、ＰＢＳ緩衝溶液で洗浄した。洗浄された細胞を細胞溶解液（ピッカジーンルシフェラーゼキット、東洋インキ製造社製）で溶解した後、ウェル内に発光基質（ピッカジーンルシフェラーゼキット、東洋インキ製造社製）を添加し、各ウェルの蛍光強度を、ルミノメーターを用いて測定する。対照として、対照細胞も同様にして蛍光強度を測定する。
対照細胞のルシフェラーゼ活性を１００％として、試験細胞のルシフェラーゼ活性が１３０%以上を示す場合を、転写調節能を有するとする。
【００５７】
実施例８  （レポーター活性を指標としたスクリーニング）
PC12細胞を９６穴プレートの各ウェル内に５×104cells/wellで播種し、約24時間培養する。培養された細胞に実施例２により得られたＧｍ１プロモーターレポーターベクター（ｐＧＬ‐Ｇｍ１；０．２μｇ）を、リポフェクション法を用いてトランスフェクションすることにより、試験細胞を調製する。
次いで、この細胞を約24時間培養した後、ウェル内の培地を除いた。ウェル内に、新たに0.10mlの新鮮な培地を加えた後、さらに0.1nM〜10nMの被験物質を添加し、これを３７℃で24時間培養する。
次いで、ウェル内の培地を除き、ＰＢＳ緩衝溶液で洗浄した。洗浄された細胞を細胞溶解液（ピッカジーンルシフェラーゼキット、東洋インキ製造社製）で溶解した後、ウェル内に発光基質（ピッカジーンルシフェラーゼキット、東洋インキ製造社製）を添加し、各ウェルの発光強度を、ルミノメーターを用いて測定する。対照として、何も接触させない細胞についても同様にして発光強度を測定する。
何も接触させない場合のルシフェラーゼ活性を１００％として、被験物質とを接触させた場合のルシフェラーゼ活性のパーセンテージが50%以下になる物質又は150%以上になる物質をシグナル伝達調節物質として選択する。
【００５８】
実施例９  （レポーター活性を指標としたスクリーニング）
実施例２により得られた本発明のＧｍ１プロモーターの一部の転写活性化能を以下のようにして測定する。
PC12細胞を９６穴プレートの各ウェル内に５×104cells/wellで播種し、約24時間培養する。培養された細胞に実施例２により得られたＧｍ１プロモーターレポーターベクター（ｐＧＬ‐Ｇｍ１又はｐＧＬ−Ｇｍ１／ＳａｃＩ；０．２μｇ）を、リポフェクション法を用いてトランスフェクションすることにより、試験細胞を調製する。また、Ｇｍ１プロモーターを有しないレポーターベクター（ｐＧＬ３；０．２μｇ）を、リポフェクション法を用いてトランスフェクションすることにより、対照細胞を調製する。
次いで、これら細胞を約24時間培養した後、ウェル内の培地を除いた。ウェル内に、新たに0.10mlの新鮮な培地を細胞に加えた後、さらに0.1nM〜10nMの被験物質を添加し、これを３７℃で24時間培養する。
次いで、ウェル内の培地を除き、ＰＢＳ緩衝溶液で洗浄した。洗浄された細胞を細胞溶解液（ピッカジーンルシフェラーゼキット、東洋インキ製造社製）で溶解した後、ウェル内に発光基質（ピッカジーンルシフェラーゼキット、東洋インキ製造社製）を添加し、各ウェルの発光強度を、ルミノメーターを用いて測定する。対照として、何も接触させない細胞についても同様にして発光強度を測定する。
被験物質を接触させた場合と何も接触させてない場合のルシフェラーゼ活性の比が対照細胞に比べて、試験細胞で1.3倍以上または0.7倍以下になる物質をシグナル伝達物質として選択する。
【００５９】
実施例１０  （本発明ポリヌクレオチド結合物質の選抜）
実施例３に記載された本発明プラスミドｐＧＬ−Ｇｍ１  ５μｇを、ＸｈｏＩおよびＭｌｕＩ各１０Ｕを用いて２０μＬの反応液中で３７℃で１時間消化する。制限酵素消化反応液をアガロースゲル電気泳動し、ＱＩＡｑｕｉｃｋ  Ｇｅｌ  Ｅｘｔｒａｃｔｉｏｎ  Ｋｉｔを用いてインサートＤＮＡ断片を精製する。得られたＤＮＡ断片１μｇ、［α−32Ｐ］ｄＣＴＰ（Ａｍｅｒｓｈａｍ  Ｐｈａｒｍａｃｉａ  Ｂｉｏｔｅｃｈ製）  ５μＬ、非標識ヌクレオチド（ｄＡＴＰ，ｄＴＴＰ，ｄＧＴＰ）（宝酒造製）各１μＬ、１０×ｋｌｅｎｏｗ  Ｂｕｆｆｅｒ（宝酒造製）２μＬおよびｋｌｅｎｏｗ酵素（宝酒造製）  １μＬを加え蒸留水で合計２０μＬとし、３７℃で１時間インキュベートすることで、標識ＤＮＡ断片を得る。次に、未反応［α−32Ｐ］ｄＣＴＰ  と標識ＤＮＡ断片を分離するために反応液を１０ｍＭトリス塩酸、１ｍＭＥＤＴＡ（以後ＴＥ溶液と表記する。）で平衡化したＰｒｏｂｅＱｕａｎｔ  Ｇ−５０  Ｍｉｃｒｏ  Ｃｏｌｕｍｎｓ（Ａｍｅｒｓｈａｍ  Ｐｈａｒｍａｃｉａ  Ｂｉｏｔｅｃｈ製）に供し、遠心分離（室温、１２００ｒｐｍ、１分間）を行い、標識ＤＮＡを溶出する。得られた溶出液の放射活性をシンチレーターで測定し、１０4ｃｐｍ／μＬになるようＴＥ溶液で希釈して標識ＤＮＡ溶液を得る。次いで、５×バインディングバッファー（５０ｍＭ  Ｈｅｐｅｓ−水酸化カリウム（ｐＨ７．８）、２５０ｍＭ塩化カリウム、５ｍＭ  ＥＤＴＡ（ｐＨ８．０）、２５ｍＭ塩化マグネシウム、５０％（Ｗ／Ｖ）グリセロール、２５ｍＭジチオスレイトール、３．５ｍＭ  ＰＭＳＦ、１０μｇ／ｍＬ  Ａｐｒｏｔｉｎｉｎ、１０μｇ／ｍＬ  Ｐｅｐｓｔａｔｉｎ、１０μｇ／ｍＬ  Ｌｅｕｐｅｐｔｉｎ、および５ｍＭ  ｓｏｄｉｕｍ  ｏｒｔｈｏｖａｎａｄａｔｅを含有する。）５μＬ、２μｇ／μＬ  ｐｏｌｙｄＩｄＣ  １．５μＬ、１０μＭ被験物質５μＬおよび標識ＤＮＡ溶液２μＬを混合し蒸留水で合計２５μＬにする。該液を室温で３０分間インキュベートした後、ポリアクリルアミドゲル電気泳動をおこなう。電気泳動後、ゲルをゲル板よりはがして、ワットマン３ＭＭろ紙上にて８０℃、１時間真空ポンプにて乾燥後、イメージングプレートに２時間感光後、ＢＡＳ２０００で画像イメージを取得する。被験物質が標識ＤＮＡと結合しＤＮＡ−被験物質複合体が形成された結果、ゲル上での移動度が遊離のＤＮＡより小さくなり、画像イメージ上のバンドのシフトが検出された場合の被験物質を本発明ポリヌクレオチドへの結合物質として選抜する。
【００６０】
実施例１１  （本発明精製方法による本発明ポリヌクレオチドへの結合物質の精製）
（１）本発明ポリヌクレオチド結合物質精製用アフィニティーカラムの作製
本発明プラスミドｐＧＬ−Ｇｍ１  ２００μｇをＸｈｏＩ、ＭｌｕＩ  各５０Ｕを用いて２００μＬの反応液中で３７℃で１時間消化する。制限酵素消化反応液をアガロースゲル電気泳動し、ＱＩＡｑｕｉｃｋ  Ｇｅｌ  Ｅｘｔｒａｃｔｉｏｎ  Ｋｉｔを用いて精製することにより該ＤＮＡを得る。２ｍＬの臭化シアン活性化セファロース４Ｂに４４μｇの該ＤＮＡを加え、４℃で１晩１０００ｒｐｍで撹拌し、該ＤＮＡをセファロース上に固定する。ついで、未反応の臭化シアンの活性基を無くすために、１Ｍグリシンを含む炭酸水素ナトリウム溶液（ｐＨ９．５）  ２０ｍＬを加え４℃で１晩放置する。こうして得られたゲルを１０×３００ｍｍクロマトグラフ管（イワキガラス製）に充填することで、本発明ポリヌクレオチドへの結合物質用アフィニティーカラムを作製する。
【００６１】
（２）試料の調製
ヒト神経由来培養細胞ＩＭＲ−３２を１５ｃｍシャーレ（ファルコン社製）４０枚にシャーレあたり１×１０７個の細胞を捲き込む。１０％（Ｗ／Ｖ）ＦＢＳを添加したＤ−ＭＥＭ培地（高グルコース）を用い、３７℃、５％（Ｖ／Ｖ）二酸化炭素存在下で二晩培養する。二晩後、培地を除去した後、１５ｍＬのリン酸緩衝液でシャーレの器壁を１回洗浄した後、該シャーレにトリプシン−ＥＤＴＡ溶液（０．０５％（Ｗ／Ｖ）トリプシン、０．５３ｍＭ  ＥＤＴＡを含む。Ｇｉｂｃｏ製）２ｍＬを細胞が浸るように添加し、３７℃で５分放置する。これに、ＦＢＳ含有培地をトリプシン−ＥＤＴＡ溶液の約１０倍量添加し、細胞懸濁液を得る。得られた細胞懸濁液を遠心分離（室温、１，３００ｒｐｍ、５分間）し、上清を除去する。細胞沈殿を１５ｍＬのリン酸緩衝液に懸濁し、再度室温で１，３００ｒｐｍ、５分間遠心分離し、上清を除去する。その後、細胞沈殿を氷冷した１０ｍＭ  Ｈｅｐｅｓ−水酸化カリウム（ｐＨ７．８）、１０ｍＭ  塩化カリウム、０．１ｍＭ  ＥＤＴＡ（ｐＨ８．０）溶液（以下、バッファーＡと記す。）１０ｍＬに懸濁する。１０分間氷上で冷却した後、４℃、１，３００ｒｐｍ、５分間遠心分離する。上清を除去後、細胞沈殿を３０ｍｌのバッファーＡで再懸濁し、ダウンスホモジナイザーペッスルＢ（Ｗｈｅａｔｏｎ製）を用いて氷上で冷却しながら細胞を完全に破砕する。得られた細胞破砕液を遠心分離（４℃、１３００ｒｐｍ、５分間）し、上清を除去する。この沈殿を５０ｍＭ  Ｈｅｐｅｓ−ＫＯＨ（ｐＨ７．８）、４２０ｍＭ  塩化カリウム、０．１ｍＭ  ＥＤＴＡ（ｐＨ８．０）、５ｍＭ塩化マグネシウム、２％（Ｗ／Ｖ）グリセロール溶液（以下バッファーＢと記す。）２ｍＬに懸濁する。４℃で３０分間ローテーターにて穏やかに回転させた後、遠心分離（４℃、２４０００ｇ、３０分間）する。上清を回収し、蒸留水で５倍に希釈した希釈液を精製の試料とする。
【００６２】
（３）単離の工程
前記した試料を（１）記載のアフィニティーカラムにロードする。さらに、５倍希釈したバッファーＢ  １０ｍＬをロードすることにより、複合体形成しなかった試料中成分を除去する。その後、塩化カリウム濃度を１Ｍまで上昇させるグラジエントを行い本発明ポリヌクレオチドへの結合物質を溶出することによって、本発明ポリヌクレオチドへの結合物質を含む画分を得る。
【産業上の利用可能性】
【００６３】
本発明により、三量体Ｇタンパク質αサブユニットＧｍ１のプロモーター領域である塩基配列を有することを特徴とするポリヌクレオチド等が提供となり、当該ポリヌクレオチド等は、三量体Ｇタンパク質αサブユニットＧｍ１のプロモーターを介したシグナル伝達調節物質の探索方法、当該探索方法により得られる三量体Ｇタンパク質αサブユニットＧｍ１のプロモーターを介したシグナル伝達調節能力を有する化合物若しくはその薬学的に許容される塩を有効成分として含有してなることを特徴とする神経・精神疾患用医薬等の研究・開発に極めて有用である。
【図面の簡単な説明】
【００６４】
【図１】本発明のＧｍ1プロモーターが転写活性能を有することを示す図である（実施例３）。
【図２】三量体Ｇタンパク質αサブユニットＧｍ１の脳組織（大脳皮質、海馬、小脳）における発現を示す図面代用写真である（実施例４）。
【図３】三量体Ｇタンパク質αサブユニットＧｍ１の精神疾患患者脳組織における発現を示す図面代用写真である（実施例５）。
【配列表フリーテキスト】
【００６５】
配列番号４
ＰＣＲのために設計されたプライマー
配列番号５
ＰＣＲのために設計されたプライマー
配列番号６
ＰＣＲのために設計されたプライマー
配列番号７
ＰＣＲのために設計されたプライマー
配列番号８
ＰＣＲのために設計されたプライマー
配列番号９
ＰＣＲのために設計されたプライマー
配列番号１０
ＰＣＲのために設計されたプライマー
配列番号１１
ＰＣＲのために設計されたプライマー
【図１】
2005296003.tif 000002
【図２】
2005296003.tif 000003
【図３】
2005296003.tif 000004
【配列表】
2005296003000001.app